(57)【要約】装置、システムあるいは方法は、機能性を開発する様々なリソース（例えば、携帯電話、自動車電話、ボイス・オーバー・インターネットプロトコル（ＶＯＩＰ）、ＷｉＦｉ、ウェブ・ベースの通信、従来のアナログ電話機、全地球測位システム（ＧＰＳ）、多数の通信サービス、プロバイダ、様々な通信プロトコル、サービスなど）を横切った通信セッションのシームレスに移行することを提供する。それに関連して、ユーザを緩和し、通信セッションを終了しなければならず、利用可能なリソースの異なるセットを利用するために別のセッションを始めなければならない。
2009523376.tif 000002
【特許請求の範囲】
【請求項１】
無線データ伝送の方法であって、
通信セッションの接続においてユーザ機器の現在の状態を決定または将来の状態を推測すること、
利用可能なリソースを識別すること、
決定または推測されたユーザ機器状態の機能として通信セッションをリソースの第１セットからリソースの第２セットへ移行することを備える方法。
【請求項２】
ユーザ状態を決定することを備える請求項１の方法。
【請求項３】
ユーザ状態を推測することを備える請求項１の方法。
【請求項４】
決定されたユーザ状態の機能として前記リソースの第２セットを選択することを備える請求項２の方法。
【請求項５】
推測されたユーザ状態の機能として前記リソースの第２セットを選択することを備える請求項３の方法。
【請求項６】
将来利用できなくなるリソースを識別することを備える請求項１の方法。
【請求項７】
ユーザの優先機能としてリソースの第２セットへ通信セッションを移行することを備える請求項１の方法。
【請求項８】
リソースのコストの機能としてリソースの第２セットへ通信セッションを移行することを備える請求項１の方法。
【請求項９】
予め定義された象徴の機能としてリソースの第２セットへ通信セッションを移行することを備える請求項１の方法。
【請求項１０】
ユーザの履歴情報の機能としてリソースの第２セットへ通信セッションを移行することを備える請求項１の方法。
【請求項１１】
ユーザとの通信における第三者の身元の機能としてリソースの第２セットへ通信セッションを移行することを備える請求項１の方法。
【請求項１２】
リソース最適化の機能としてリソースの第２セットへ通信セッションを移行することを備える請求項１の方法。
【請求項１３】
ユーザ移動の機能としてリソースの第２セットへ通信セッションを移行することを備える請求項１の方法。
【請求項１４】
通信状況の機能としてリソースの第２セットへ通信セッションを移行することを備える請求項１の方法。
【請求項１５】
移行中にリソースの両セットを同時に用いることを備える請求項１の方法。
【請求項１６】
リソースの第２セットが機能特性であることを確認した後、リソースの第１セットを用いることを中断することを備える請求項１５の方法。
【請求項１７】
リソースの第２セットのサブセットを予め取得することを備える請求項１の方法。
【請求項１８】
予測されたユーザ機器の将来の状態の機能としてリソースの第２セットのサブセットを予め取得することを備える請求項１７の方法。
【請求項１９】
予測されたユーザの将来の状態の機能としてリソースの第２セットのサブセットを予め取得することを備える請求項１７の方法。
【請求項２０】
予想されたリソースの第１セットのサブセットの損失の機能として、リソースの第２セットのサブセットを予め取得することを備える請求項１７の方法。
【請求項２１】
前記通信セッションをＣＤＭＡサービスからＧＳＭサービスへ移行することを備える請求項１の方法。
【請求項２２】
前記通信セッションをＧＳＭサービスからＣＤＭＡサービスへ移行することを備える請求項１の方法。
【請求項２３】
前記通信セッションをＣＤＭＡサービスからＯＦＤＭサービスへ移行することを備える請求項１の方法。
【請求項２４】
前記通信セッションをＯＦＤＭサービスからＣＤＭＡサービスへ移行することを備える請求項１の方法。
【請求項２５】
前記通信セッションをＯＦＤＭサービスからＧＳＭサービスへ移行することを備える請求項１の方法。
【請求項２６】
前記通信セッションをＧＳＭサービスからＯＦＤＭサービスへ移行することを備える請求項１の方法。
【請求項２７】
前記通信セッションを許可された帯域から無許可の帯域へ移行することを備える請求項１の方法。
【請求項２８】
前記通信セッションを無許可の帯域から許可された帯域へ移行することを備える請求項１の方法。
【請求項２９】
前記通信セッションをユーザ機器から他のユーザ機器へ移行することを備える請求項１の方法。
【請求項３０】
無線データ伝送を容易にする装置であって、
通信セッションを容易にすべく利用可能なリソースを識別するリソース識別コンポーネントと、
ユーザの状態を決定または推測すべくコンピュータに対する基本的指示を実行する処理コンポーネントと、
決定または推測されたユーザ状態の機能として前記通信セッションを利用可能なリソースの第１セットから利用可能なリソースの第２セットへ移行する移行コンポーネントとを備える装置。
【請求項３１】
ユーザ状態に関する干渉の決定を容易にすべく機械的学習技術を用いる人工コンポーネントを備える請求項３０の装置。
【請求項３２】
マルチモーダルな基本的な通信に対し設けられる通信コンポーネントを備える請求項３０の装置。
【請求項３３】
前記通信コンポーネントは、ＣＤＭＡ、ＯＦＤＭまたはＧＳＭサービスの少なくとも２つのタイプを使用できる請求項３２の装置。
【請求項３４】
前記処理コンポーネントは、前記リソースの第２セットを選択して接続に用いるべく有用な基本的分析を実行する請求項３０の装置。
【請求項３５】
前記処理コンポーネントは、用いられる前記リソースの第２セットを自動的に選択する請求項３０の装置。
【請求項３６】
前記処理コンポーネントは、前記リソースの第２セットに関するユーザ補償を生成する請求項３０の装置。
【請求項３７】
前記ユーザ状態は、割り当て基本サービスから受信された情報の機能として決定される請求項３０の装置。
【請求項３８】
Ｎ個のアンテナを備え、前記Ｎは１よい大きい請求項３０の装置。
【請求項３９】
前記通信コンポーネントは、Ｎ個のアンテナのサブセットを同時に使用する請求項３０の装置。
【請求項４０】
前記Ｎ個のアンテナは、それぞれＣＤＭＡ、ＧＳＭ、ＯＦＤＭ、ブルートゥースまたはウルトラ・ワイド・バンドの少なくとも２つのプロトコルに対し指定される請求項３９の装置。
【請求項４１】
無線データ伝送のための装置であって、
リソースの利用可能性を決定する手段と、
決定されたリソースの利用可能性の機能として通信をリソースの第１セットからリソースの第２セットへ移行する手段とを備える装置。
【請求項４２】
前記通信に関連したユーザ状態を決定または推測する手段を備える請求項４１の装置。
【請求項４３】
前記通信を移行する手段は、前記リソースの第２セットの選択接続において決定または推測されたユーザ状態に起因する請求項４２の装置。
【請求項４４】
複数の通信プロトコルを同時に用いる手段を備える請求項４１の装置。
【請求項４５】
前記リソースの第１及び第２セットを同時に用いる手段を備える請求項４１の装置。
【請求項４６】
記憶され、コンピュータが実行可能な指示を備えるコンピュータ読取可能媒体であって、
通信セッションの接続においてユーザ機器の現在の状態を決定または将来の状態を推測し、
利用可能なリソースを識別し、
決定または推測されたユーザ機器状態の機能として通信セッションをリソースの第１セットからリソースの第２セットへ移行する指示を備えるコンピュータ読取可能媒体。
【請求項４７】
ユーザ状態を決定する指示を備える請求項４６のコンピュータ読取可能媒体。
【請求項４８】
ユーザ状態を推測する指示を備える請求項４６のコンピュータ読取可能媒体。
【請求項４９】
決定されたユーザ状態の機能として前記リソースの第２セットを選択する指示を備える請求項４６のコンピュータ読取可能媒体。
【請求項５０】
推測されたユーザ状態の機能として前記リソースの第２セットを選択する指示を備える請求項４６のコンピュータ読取可能媒体。
【請求項５１】
将来利用できなくなるリソースを識別する指示を備える請求項４６のコンピュータ読取可能媒体。
【請求項５２】
ユーザの優先機能としてリソースの第２セットへ通信セッションを移行する指示を備える請求項４６のコンピュータ読取可能媒体。
【請求項５３】
リソースのコストの機能としてリソースの第２セットへ通信セッションを移行する指示を備える請求項４６のコンピュータ読取可能媒体。
【請求項５４】
予め定義された象徴の機能としてリソースの第２セットへ通信セッションを移行する指示を備える請求項４６のコンピュータ読取可能媒体。
【請求項５５】
ユーザの履歴情報の機能としてリソースの第２セットへ通信セッションを移行する指示を備える請求項４６のコンピュータ読取可能媒体。
【請求項５６】
無線通信を容易にすべく指示を実行するプロセッサであって、
通信セッションの接続においてユーザ機器の現在の状態を決定または将来の状態を推測し、
利用可能なリソースを識別し、
決定または推測されたユーザ機器状態の機能として通信セッションをリソースの第１セットからリソースの第２セットへ移行する指示を実行するプロセッサ。
【請求項５７】
通信サービス・プロバイダにより提供される無線データ伝送の方法であって、
ユーザまたはユーザ機器の状態を監視すること、
利用可能な通信リソースを識別すること、
ユーザまたはユーザ機器の機能として通信セッションを許可された通信帯域から無許可の通信帯域へ移行することを備える方法。
【請求項５８】
通信サービス・プロバイダにより提供される無線データ伝送の方法であって、
ユーザまたはユーザ機器の状態を監視すること、
利用可能な通信リソースを識別すること、
ユーザまたはユーザ機器の機能として通信セッションを第１の通信帯域から第２の通信帯域へ移行することを備える方法。
【請求項５９】
前記第１の通信帯域は、無許可の通信帯域である請求項５８の方法。
【請求項６０】
前記第１の通信帯域は、許可された通信帯域である請求項５８の方法。
【請求項６１】
ユーザ機器が省電力モードであることを決定することを備える請求項５８の方法。
【請求項６２】
ユーザ機器がページングモードである場合に、第２の通信セッションを確立することを備える請求項６１の方法。
【請求項６３】
非ページング時間周期の間、リソースの第２セットを使用することを備える請求項６２の方法。
【請求項６４】
前記第２の通信セッションを一時中断することと、
ページングチャネルをチュックすべく前記第１の通信セッションに戻すことを備える請求項６３の方法。
【請求項６５】
デバイスまでの距離を識別すること、
前記デバイスまでの距離がしきい値を超えるとき、通信セッションをリソースの第２セットに切り替えることを備える方法。
【請求項６６】
前記距離がサービスの品質低下を生じさせると予想する上で、前記通信セッションをリソースの第２セットへ切り替えることを備える請求項６５の方法。
【請求項６７】
前記デバイスまでの距離が他のしきい値を超えるとき、通信セッションをリソースの第２セットからリソースの第３セットに切り替えることを備える請求項６５の方法。
【請求項６８】
デバイスまでの距離、または前記デバイスとの通信に関する電力レベルを識別し、
前記デバイスまでの距離がしきい値を超え、または電力レベルが通信セッションに関連したサービスの品質低下を招くとき、通信セッションをリソースの第２セットに切り替える指示を実行するプロセッサ。
【請求項６９】
前記デバイスまでの距離または電力レべルがしきい値を超えるとき、リソースの第２セットからリソースの第３セットに切り替える指示を実行する請求項６８のプロセッサ。
【請求項７０】
ユーザ機器までの距離を識別する手段と、
前記デバイスまでの距離がしきい値を超えるとき、通信セッションをリソースの第２セットに切り替える手段とを備えるシステム。
【請求項７１】
デバイスから受信された伝送に関連する電力レベルを識別すること、
前記電力レベルがしきい値を超えるとき、通信セッションをリソースの第２セットに切り替えることを備える方法。
【請求項７２】
前記電力レベルがサービスの品質低下を生じさせると予想する上で、前記通信セッションをリソースの第２セットへ切り替えることを備える請求項７１の方法。
【請求項７３】
前記電力レベルが他のしきい値を超えるとき、通信セッションをリソースの第２セットからリソースの第３セットに切り替えることを備える請求項７２の方法。
【請求項７４】
通信サービス・プロバイダにより提供される無線データ伝送の方法であって、
ユーザまたはユーザ機器の状態を監視すること、
利用可能な通信リソースを識別すること、
ユーザまたはユーザ機器の機能として通信セッションを通信リソースの第１セットから通信リソースの第２セットへ移行することとを備え、前記リソースの第２セットの使用は、許可された通信帯域と無許可の通信帯域とを同時に使用することを備える方法。
【請求項７５】
無線データ伝送の方法であって、
第１の通信セッションの接続においてユーザ機器の現在の状態を決定または将来の状態を推測すること、
利用可能なリソースを識別すること、
前記第１の通信セッションとはリソースの異なるセットを用いる第２の通信セッションを同時に確立することを備える方法。
【請求項７６】
前記ユーザ機器が特別な状態にほぼ入ることを決定することを備え、前記第２の通信セッションは前記ユーザ機器により通信をさらに容易にすべく確立される請求項７５の方法。
【請求項７７】
前記ユーザ機器が特別な状態にほぼ入ることを決定することを備え、前記第２の通信セッションは前記特別な状態に対しcompensateすべく確立される請求項７５の方法。
【請求項７８】
無線通信を容易にすべく指示を実行するプロセッサであって、
同じデバイスを用いて第１の通信セッションへ第２の通信セッションを同時に確立し、前記第２の通信セッションは前記第１の通信セッションとはリソースの異なるセットを用い、また前記第２の通信セッションは前記第１の通信セッションに対し補償する指示を実行するプロセッサ。
【請求項７９】
記憶され、コンピュータが実行可能な指示を備えるコンピュータ読取可能媒体であって、
同じデバイスを用いて第１の通信セッションへ第２の通信セッションを同時に確立し、前記第２の通信セッションは前記第１の通信セッションとはリソースの異なるセットを用い、また前記第２の通信セッションは前記第１の通信セッションに対し補償する指示を備えるコンピュータ読取可能媒体。
【発明の詳細な説明】
【技術分野】
【０００１】
次の記述は、一般的な無線通信に係り、特に、複数の装置、サービスおよびプラットフォームを介した通信をシームレスに移行する認識通信に関する。
【背景技術】
【０００２】
無線通信システムは、世界的に大多数の人々が通信するために普及している手段になった。ワイヤレス通信装置は、消費者ニーズに合わせてより小さく、より強力になり、持ち運びと便宜を改善する。携帯電話のような移動体装置中の処理パワーの増加は、無線ネットワーク伝送システム上で要求増加を導き出した。
【０００３】
典型的な無線通信ネットワーク（例えば、周波数、時間および符号分割技術を用いる）は、カバーエリアを提供する１以上の基地局と、そのカバーエリア内でデータを送受信できる１以上のモバイル（例えば無線）端末とを備えている。典型的な基地局は、同時に放送、マルチキャスト用の多数のデータストリームおよび（または）ユニキャスト・サービスを送信することができる。そこではデータストリームは、モバイル端末へ独立して受信し得るデータストリームである。その基地局のカバーエリア内のモバイル端末は、コンポジットストリームによって運ばれた１つあるいはすべてのデータストリームを受信できるかもしれない。同様に、モバイル端末は、基地局あるいは別のモバイル端末へデータを送信することができる。
【０００４】
さらに多数のデバイスタイプ、サービスおよびアーキテクチャ（例えば、携帯電話、自動車電話、ボイス・オーバー・インターネット・プロトコル（ＶＯＩＰ）、ＷｉＦｉ、ウェブ・ベースの通信、従来のアナログ電話機、全地球測位システム（ＧＰＳ）、多数の通信サービス・プロバイダ、様々な通信プロトコルなど）は消費者に利用可能にし、その上に関連する機能性を完全に開発するこれらのデバイスタイプ、サービスおよびアーキテクチャの部分集合を使用することをしばしばユーザに要求している。しかしながら、多数の装置とサービスの維持は、これらの間で切り替えを試みるとき、ユーザにとっては苛立たしく不便であるかもしれない。
【発明の開示】
【発明の概要】
【０００５】
（関連出願）
この出願は、２００６年１月１１日に出願され「ＭＥＴＨＯＤＳ  ＡＮＤ  ＡＰＰＡＲＡＴＵＳ  ＦＯＲ  ＦＡＣＩＬＩＴＡＴＩＮＧ  ＩＤＥＮＴＩＦＩＣＡＴＩＯＮ、ＳＹＮＣＨＲＯＮＩＺＡＴＩＯＮ  ＯＲ  ＡＣＱＵＩＳＩＴＩＯＮ  ＵＳＩＮＧ  ＢＥＡＣＯＮ  ＳＩＧＮＡＬＳ」と題された米国仮特許出願第６０／７５８，０１０号、２００６年１月１１日に出願され、「ＭＥＴＨＯＤＳ  ＡＮＤ  ＡＰＰＡＲＡＴＵＳ  ＦＯＲ  ＵＳＩＮＧ  ＢＥＡＣＯＮ  ＳＩＧＮＡＬＳ  ＦＯＲ、ＩＤＥＮＴＩＦＩＣＡＴＩＯＮ、ＳＹＮＣＨＲＯＮＩＺＡＴＩＯＮ  ＯＲ  ＡＣＱＵＩＳＩＴＩＯＮ  ＩＮ  ＡＮ  ＡＤ  ＨＯＣ  ＷＩＲＥＬＥＳＳ、ＮＥＴＷＯＲＫ」と題された米国仮特許出願第６０／７５８，０１１号、２００６年１月１１日に出願され「ＭＥＴＨＯＤＳ  ＡＮＤ  ＡＰＰＡＲＡＴＵＳ  ＦＯＲ  ＵＳＩＮＧ  ＢＥＡＣＯＮ  ＳＩＧＮＡＬＳ  ＩＮ  Ａ  ＣＯＧＮＩＴＩＶＥ  ＲＡＤＩＯ  ＮＥＴＷＯＲＫ」と題された米国仮特許出願第６０／７５８，０１２号、２００６年９月１５日に出願され「ＰＯＷＥＲ  ＡＬＬＯＣＡＴＩＯＮ  ＳＣＨＥＭＥ」と題された米国仮特許出願第６０／８４５，０５２号、２００６年９月１５日に出願され「ＢＥＡＣＯＮＳ  ＩＮ  Ａ  ＭＩＸＥＤ  ＷＩＲＥＬＥＳＳ  ＣＯＭＭＵＮＩＣＡＴＩＯＮ  ＳＹＳＴＥＭ」と題された米国仮特許出願第６０／８４５，０５１号、２００６年１０月２７日に出願され、「ＢＥＡＣＯＮＳ  ＩＮ  Ａ  ＭＩＸＥＤ  ＣＯＭＭＵＮＩＣＡＴＩＯＮ  ＳＹＳＴＥＭ」と題された米国仮特許出願第６０／８６３，３０４号の利点を請求するものであり、これらの各々は参照してここに組み込まれており、またこれらのすべてはこの譲受人に譲渡されている。
【０００６】
次の記載は、１つ以上の実施形態の単純化されたサマリで、そのような実施形態の基本的了解事項を提供するために、このサマリはすべての熟考された実施例の広範囲な概観でなく、すべての実施形態の鍵や重大なエレメントを識別しないいずれかあるいはすべての実施例の範囲を描写しないように意図される。その唯一の目的は、後で示されるより多くの詳述に単純化された形式中の１つ以上の実施形態のいくつかの概念を提示することである。
【０００７】
種々の実施形態によると、様々なリソース（例えば、携帯電話、自動車電話、ボイス・オーバー・インターネット・プロトコル（ＶＯＩＰ）、ＷｉＦｉ、ウェブ・ベースの通信、従来のアナログ電話機、全地球測位システム（ＧＰＳ）、多数の通信サービス、プロバイダ、様々な通信プロトコル、サービスなど）を横切る通信セッションのシームレス移行は、機能性を開発するために提供され、通信セッションを終了すべくユーザの軽減を図り、利用可能なリソースの異なるセットを利用するために別のセッションを始める。
【０００８】
実施形態において、無線データ伝送の方法は、通信セッションの接続においてユーザ機器の現在の状態を決定または将来の状態を推測すること、利用可能なリソースを識別すること、決定または推測されたユーザ機器状態の機能として通信セッションをリソースの第１セットからリソースの第２セットへ移行することを備える。そのシナリオにおいて、複数のリソースは、識別ステップにおいて利用可能であることを検出される。その方法は、さらに検出されたリソースを比較すること、通信セッションに対し検出されたリソースの１つを使用するように選択すること、または比較結果の機能として通信セッションをリソースの第１セットからリソースの第２セットへ移行することを備える。その比較は、費用対効果の分析に基づいて行われる。その費用は、スペクトラムに用いる費用と同様に、通信セッションに要求される電力及び帯域幅により測定され、信号品質、干渉レベル、トラフィック混雑レベル及びサービス象徴により決定される。そして、効果は、通信セッションのサービス品質、データレート、遅延、信頼性などにより測定できる。
【０００９】
別の実施形態によると、無線データ伝送の方法は、リソースの第１セットを使用する第１の通信セッションを確立すること、第１の通信セッションが一時的に省電力モードに入る時間周期を決定すること、省電力モードの時間周期においてリソースの第２セットを使用する第２の通信セッションを確立することまたは企てること、他の時間周期に第１の通信セッションに戻すことを備える。
【００１０】
別の実施形態において、無線データ伝送を容易にする装置は、通信セッションを容易にすべく利用可能なリソースを識別するリソース識別コンポーネントと、ユーザの状態を決定または推測すべくコンピュータに対する基本的指示を実行する処理コンポーネントと、決定または推測されたユーザ状態の機能として前記通信セッションを利用可能なリソースの第１セットから利用可能なリソースの第２セットへ移行する移行コンポーネントとを備える。
【００１１】
また、別の実施形態に従うと、無線データ伝送のための装置は、リソースの利用可能性を決定する手段と、決定されたリソースの利用可能性の機能として通信をリソースの第１セットからリソースの第２セットへ移行する手段とを備える。
【００１２】
実施形態に従うと、記憶され、コンピュータが実行可能な指示を備えるコンピュータ読取可能媒体は、通信セッションの接続においてユーザ機器の現在の状態を決定または将来の状態を推測し、利用可能なリソースを識別し、決定または推測されたユーザ機器状態の機能として通信セッションをリソースの第１セットからリソースの第２セットへ移行する指示を備える。
【００１３】
実施形態において、無線通信を容易にすべく指示を実行するプロセッサは、通信セッションの接続においてユーザ機器の現在の状態を決定または将来の状態を推測し、利用可能なリソースを識別し、決定または推測されたユーザ機器状態の機能として通信セッションをリソースの第１セットからリソースの第２セットへ移行する指示を実行する。
【００１４】
また、他の実施形態において、通信サービス・プロバイダにより提供される無線データ伝送の方法は、ユーザまたはユーザ機器の状態を監視すること、利用可能な通信リソースを識別すること、ユーザまたはユーザ機器の機能として通信セッションを許可された通信帯域から無許可の通信帯域へ移行することを備える。
【００１５】
他の実施形態に従うと、通信サービス・プロバイダにより提供される無線データ伝送の方法は、ユーザまたはユーザ機器の状態を監視すること、利用可能な通信リソースを識別すること、ユーザまたはユーザ機器の機能として通信セッションを無許可の通信帯域から許可された通信帯域へ移行することを備える。
【００１６】
他の実施形態は、通信サービス・プロバイダにより提供される無線データ伝送の方法に関し、その方法は、ユーザまたはユーザ機器の状態を監視すること、利用可能な通信リソースを識別すること、ユーザまたはユーザ機器の機能として通信セッションを第１の通信帯域から第２の通信帯域へ移行することを備える。
【００１７】
また、他の実施形態は、方法に関し、その方法は、デバイスまでの距離を識別すること、前記デバイスまでの距離がしきい値を超えるとき、通信セッションをリソースの第２セットに切り替えることを備える。
【００１８】
さらに、他の実施形態は、プロセッサに関し、プロセッサは、デバイスまでの距離、または前記デバイスとの通信に関する電力レベルを識別し、前記デバイスまでの距離がしきい値を超え、または電力レベルが通信セッションに関連したサービスの品質低下を招くとき、通信セッションをリソースの第２セットに切り替える指示を実行する。
【００１９】
他の実施形態は、システムに関し、システムは、ユーザ機器までの距離を識別する手段と、前記デバイスまでの距離がしきい値を超えるとき、通信セッションをリソースの第２セットに切り替える手段とを備える。
【００２０】
実施形態は、方法に関し、方法は、デバイスから受信された伝送に関連する電力レベルを識別すること、前記電力レベルがしきい値を超えるとき、通信セッションをリソースの第２セットに切り替えることを備える。
【００２１】
さらに他の実施形態は、通信サービス・プロバイダにより提供される無線データ伝送の方法に関し、方法は、ユーザまたはユーザ機器の状態を監視すること、利用可能な通信リソースを識別すること、ユーザまたはユーザ機器の機能として通信セッションを通信リソースの第１セットから通信リソースの第２セットへ移行することとを備え、前記リソースの第２セットの使用は、許可された通信帯域と無許可の通信帯域とを同時に使用することを備える。
【００２２】
実施形態は、無線データ伝送の方法を提供し、その方法は、第１の通信セッションの接続においてユーザ機器の現在の状態を決定または将来の状態を推測すること、利用可能なリソースを識別すること、前記第１の通信セッションとはリソースの異なるセットを用いる第２の通信セッションを同時に確立することを備える。
【００２３】
また他の実施形態は、無線通信を容易にすべく指示を実行するプロセッサに関し、プロセッサは、同じデバイスを用いて第１の通信セッションへ第２の通信セッションを同時に確立し、前記第２の通信セッションは前記第１の通信セッションとはリソースの異なるセットを用い、また前記第２の通信セッションは前記第１の通信セッションに対し補償する指示を実行する。
【００２４】
他の実施形態は、記憶され、コンピュータが実行可能な指示を備えるコンピュータ読取可能媒体に関し、コンピュータ読取可能媒体は、同じデバイスを用いて第１の通信セッションへ第２の通信セッションを同時に確立し、前記第２の通信セッションは前記第１の通信セッションとはリソースの異なるセットを用い、また前記第２の通信セッションは前記第１の通信セッションに対し補償する指示を備える。
【００２５】
先で関連づけられた終了の完成に、１つ以上の実施形態は請求項に記述され特に指摘されて、特徴を以下に完全に含む。次の記述および付加された図面は、１つ以上の実施形態のある実例となるアスペクトを詳細に述べる。これらの実施形態は表示される。しかしながら、種々の実施形態の原理が使用されてもよい少数のいろいろな状態および記述された実施形態は、そのような実施形態およびそれらの等価物をすべて含むように意図される。
【詳細な説明】
【００２６】
種々の実施形態は今、図面に関して記述され、そこで、基準数字が、エレメントを参照するために使用される。次の記述では、説明の目的のために、多数の特定の詳細は１つ以上の実施形態についての完全な理解を提供するために述べられる。それは明白かもしれない。しかし、そのような実施形態がそうかもしれないことはこれらの特定の詳細なしで実行される。他のインスタンスでは、有名な構造および装置は１つ以上の実施形態について記述を容易にするためにブロック図の形で示される。
【００２７】
この出願の中で使用される用語として、「コンポーネント」、「システム」、および同種のものは、コンピュータに関連する実体、一方のハードウェア、ソフトウェア、実行でのソフトウェア、ファームウェア、ミドルウェア、マイクロコード、または、それらの任意の組合せを参照するように意図される。例えば、コンポーネントは、プロセッサ上で走るプロセス、プロセッサ、オブジェクト、１つの、実行可能、実行のスレッド、プログラムおよび（または）コンピュータに制限されないかもしれない。１つ以上のコンポーネントがプロセスおよび（または）実行のスレッド内に存在してもよい。また、コンポーネントは１台のコンピュータに集中され、かつ、または、２台以上のコンピュータ間で分配されてもよい。さらに、これらのコンポーネントはその上に各種データ構造を格納する様々なコンピューター読取り可能なメディアから実行することができる。コンポーネントは、１つ以上のデータパケット（例えば）がある信号に従って、ローカルのプロセスおよび（または）遠隔のプロセス経由で伝達してもよいし、信号経由でローカルシステム（分散型システム）中、および（または）他のシステムを備えたインターネットのようなネットワークを介した別のコンポーネントと対話する１つのコンポーネントからのデータであってもよい。さらに、注意点として記述することは、ここに記述されたシステムのコンポーネントは、種々実施形態、ゴール、利点などを達成することを容易にするために追加のコンポーネントによって再整理されかつ／または賞賛されてもよく、また技術に熟練した者により評価されるとともに与えられた図の中で述べられた正確な配位に制限されない。
【００２８】
種々実施形態は、通信セッションを移行する接続において、推論スキームおよび（または）技術を具体化することができる。ここに使用されるとして、用語「推論」は、推理法あるいはシステムの推論状態、環境、及び（または）イベント及び（または）データを介して取得される１セットの観察からのユーザを一般的に指す。推論は、特定のコンテキストかアクションを識別するために使用することができるか、あるいは例えば、状態に関する確率分布を生成することができる。推論は、すなわちデータと出来事の考察に基づいた利息の状態に関する確率分布の計算、あるいは決定、理論的、確率的推論上の、およびユーザ・ゴールおよび意図の不確実性のコンテキストで最も高い期待値効用の表示動作を考えるビルディングといった蓋然論かもしれない。推論は、さらに、１セットのイベントおよび（または）データからのより高いレベルの出来事を構成するのに使用された技術を指すことができる。１セットの観察されたイベントからの新しいイベントあるいはアクションの構築でのそのような推論結果、または、格納されたイベント情報か否か、イベントは一時的な隣接中で関連させられ、また、イベントとデータは１つあるいはいくつかのイベントおよびデータ送信装置から来るかである。
【００２９】
更に、種々実施形態は、加入者局に関してここに記述される。加入者局も、システム、加入者ユニット、移動局、移動体、遠隔局、アクセス・ポイント、遠隔端末、アクセス・ターミナル、ユーザ端末、利用者エージェント、ユーザ装置、移動体装置、ポータブル通信装置あるいはユーザ設備と呼ぶことができる。加入者局は、携帯電話、コードレス電話、セッション開始プロトコル（ＳＩＰ）電話、無線回線折返し（ＷＬＬ）ステーション、携帯情報端末（ＰＤＡ）、無線接続能力があるハンドヘルド装置あるいは無線モデムに接続された他の制御演算装置かもしれない。
【００３０】
さらに、ここに記述された種々実施形態または特徴は、方法（エンジニアリング技術）、装置あるいは製品を使用する標準プログラミングとしてインプリメントされてもよい。ここに使用されるような用語「製品」は、任意のコンピュータ判読可能な装置、キャリアあるいはメディアからアクセス可能なコンピュータプログラムを包含するように意図される。例えば、コンピュータ判読可能なメディアは含むことができるが、磁気記憶装置（例えばハードディスク、フロッピー（登録商標）ディスク、磁気ストリップなど）、光ディスク（例えば、コンパクトディスク（ＣＤ）、ディジタルバーサタイルディスク（ＤＶＤ）…など）、スマート・カードおよびフラッシュメモリ装置（例えば） カード、杖（キードライブなど）には制限されない。さらに、ここに記述された様々な記憶媒体は１つ以上の装置および（または）情報を格納するための他の機械可読媒体を示すことができる。用語「機械可読媒体」は制限されずに、命令および（または）データを伴って、無線チャネル、およびストアに有能な様々な他のメディアを含むことができる。「例えば、インスタンスあるいは実例として役立つ」を意味するために、「典型的である」という単語がここに使用されることが、認識されるだろう。好まれるか、他のアスペクトあるいは設計に関して有利だったように、「典型的な」ものとここに記述されたどんな実施形態あるいは設計も必ずしも解釈することができない。
【００３１】
機能性の開発に備え、通信セッションを終了すべくユーザを緩和し、利用可能なリソースの異なるセットを利用するために別のセッションを始めるべく、様々なデバイスタイプ、サービスおよびアーキテクチャ（例えば、携帯電話、自動車電話、ボイス・オーバー・インターネット・プロトコル（ＶＯＩＰ）、ＷｉＦｉ、ウェブ・ベースの通信、従来のアナログ電話機、全地球測位システム（ＧＰＳ）、多数の通信サービスプロバイダ、様々な通信プロトコルなど）を横切った通信セッションをシームレスに移行することを容易にするユニークなシステム、方法および装置は、ここに記述されるだろう。
【００３２】
今、図１を参照すると、認識の無線ネットワーク通信システム１００はここに示された種々実施形態に従って例証される。システム１００は、モバイル装置のような、他から及び(または)１以上の他のノードへ無線通信信号を受信、送信、再送などを行う１以上のセクタを持つ１つ以上の基地局１０２（例えば、セルラー、ＷｉＦｉ、あるいはアド・ホックなど）のような複数のノードを含むことができる。これらノードは、通常、バッテリ電源によって電力が供給される。しかしながら、どんなに安定した電源も使用することができる。システム１００は、例えば、装置とプラットフォーム、サービスおよびプロトコルの間の通信を移行することを容易にする。より特に、システム１００は、最初の通信状態から別の通信状態まで移行／移動のために通信を提供する。例えば、通信状態は、通信装置のタイプ、サービスのタイプ、ユーザの位置、許可された通信帯域、無許可の通信帯域、プロトコルなどを含む。しばしば、ユーザの通信状態は、様々な外来因子（例えば、現在の位置、使用された通信装置、使用された通信様相、通信の信頼度、通信相手、通信の重要度、移動、利用可能なリソース、優先など）の機能として、また、合致すべく１つの状態から他の状態への通信状態の移行として、またはセッションを最適化するために現在の通信セッション（例えばリソースの他のセットへ）の移行として相対的移行にある。
【００３３】
例えば、ユーザが、使用してもよいホームを運用している間、許可された通信帯域（例えば、セルラー・サービス・プロバイダを介して）を利用している自動車に組み込まれた携帯電話機を使用するかもしれない。自動車または携帯電話機は、全地球測位システム（ＧＰＳ）サービスを有し、自動車にいる間彼の移動を追跡してもよい。一旦自動車を残せば、彼が家（ＧＰＳシステムによって決定された位置）へ接近するとともに、システム１００は彼のポータブル携帯電話機への通信セッションを移行させることができる。また、一旦彼が家に入れば、セッションは、無許可の通信帯域（例えば、ＷｉＦｉ、ＶＯＩＰなど）を利用している家内のスピーカーポン・システムに再び移行してもよい。したがって、システム１００は、最小あるいは割り込みのない現在の通信セッションの維持を提供し、またユーザがセッションを移行させ、かつ利用可能で現在のユーザ状態および優先度に有用な異なる通信リソースを利用することを可能にする。
【００３４】
認識のモバイル装置１０２は、ユーザによって使用され、ユーザステート１０４（そのステートは１以上のステート１−Ｚであり得、Ｚは整数）、ユーザステート１０４に与えられるユーザプリファレンス１０８（プリファレンスは１以上のプリファレンス１−Ｗであり得、Ｗは整数）に基づく。モバイル装置１０２は、リソース１０６（リソース１−Ｘ、Ｘは整数）の異なるセットを使用すべく通信セッションを移行できる。リソースは、例えば、異なるタイプの装置（例えば、他の認識の装置、スピーカーポン、自動車電話、ＶＯＩＰシステム、コンピュータ、無許可の帯域を利用する無線電話および（または）許可された帯域、対話型テレビジョン、テレビ電話、通信を備えた機器、能力、サービス・プロバイダ、通信、プラットフォーム、個人データ補助物、ウェブ上のシステム、プッシュ・トゥ・トークシステム、ウォーキートーキー、またここに記述された実施形態に従う促進する通信にふさわしい他のタイプのリソース）であり得る。
【００３５】
そこで、装置１０２あるいは（以下、ターゲット１−Ｎ、Ｎは整数１１０であると称する）からの通信の受信者への評価された接触器でありうるとともに、通信セッションを移行する方法に対し衝撃を与えるだろう。例えば、ユーザに関する前述のシナリオ中で、目標１１０がユーザが望まないユーザのクライアントか雇用者である場合に、彼の自動車を残し彼の家へ歩くことは、セッション（例えば、携帯電話への自動車電話、および無許可の帯域を使用して、ホーム電話への許可された帯域を使用する携帯電話）の多数の移行を危くする。従って、目標の機能として、システム１００は、許可された帯域を使用して、単に、自動車電話から携帯電話までセッションを移行させてもよい。そのような決定は、例えば、通信の忠実度、セッションの劣化に関するコスト、他のセッション（例えば、高品質の許可された帯域から低品質の無許可の帯域へ）に関連した忠実度の損失の可能性、ドッグ・バーキング(dog barking)または陸線電話の近くで遊ぶ子供、エコーの可能性、フィードバック雑音、歴史情報などのようなも外因性の情報１−Ｒ  １１２（Ｒは整数である）に基づくことができる。したがって、システム１００が合理的な確実性あるいはリソースの別のセットへのセッションを移行させるがセッションの質を犠牲にしてもよい見込みで予期する場合、また特別のセッションに関連した目標か状況の重要性を与えられた、移動ではなくリソースの現在の使用されたセットを持ったセッションを維持することを決定し、セッション、およびセッションに関連した質の損失に潜在的にさらされる。
【００３６】
モバイル移動体装置１０２は、技術に熟練した者によって評価されるとして、信号送信及び信号受信に関連する複数のコンポーネント（例えば、プロセッサー、モジュレータ、多重化装置、復調器、デマルチプレクサー、アンテナなど）を備える送信器鎖および受話器鎖を含むことができる。モバイル装置１０２は、例えば携帯電話、高度自動機能電話、ラップトップ、携帯型の通信装置、携帯型の計算装置、衛星ラジオ、全地球測位システム、ＰＤＡおよび（または）他の無線ネットワーク１００上で通信するためのふさわしい装置になりえる。
【００３７】
図２ａは、モバイル装置２００の１つの特別の実施形態に従う様々なコンポーネントのハイ・レベルの系統図を例証する。リソース・センシング・コンポーネント２０２は、現在、予測された位置、装置２００の状態及びユーザのそれらにおける接続中の利用可能なリソースを探索する。評価することができるように、異なるスペクトラム帯域幅及び（または）異なるエアー・インタフェース技術を使用する様々な無線通信方式がある。典型的なシステムは、符号分割多元接続（符号分割多元接続２０００、ＥＶＤＯ、ＷＣＤＭＡ）、ＯＦＤＭあるいはＯＦＤＭＡ（フラッシュＯＦＤＭ、８０２．２０、ＷｉＭＡＸ）、許可されたスペクトラムＦＤＤまたはＴＤＤを使用するＦＤＭＡ／ＴＤＭＡ（ＧＳＭ）システム、ピア・ツー・ピア（例えば、モバイル・ツー・モバイル）、無許可のスペクトラムをしばしば使用するアド・ホック・ネットワークシステム、８０２．１１の無線ＬＡＮまたはブルー・トゥース技術を含む。そのようなシステムは異なる地理的区域でサービスを提供してもよい。したがって、装置２００は、多数のシステムからサービスを得ることが可能となることが望まれる。
【００３８】
ある場合には、いくつかの異なるシステムは、地理的に重なるエリアにサービスを提供してもよい。さらに、サービス品質は異なるシステムで異なってもよい。例えば、与えられた装置については、１つのシステムの信号品質は別のシステムよりよいかもしれない。また、１つのシステムの手数料は別のシステムより低いかもしれない。多数のシステムを使用することができる装置は、所定の時間にサービスを受けるために最良のシステムを選択することができる。リソース・センシング・コンポーネント２００は、サービス受信及び他のリソース（例えば、装置、ソフトウェア、機能性など）の利用で接続における利用可能（すぐには利用可能でない）となるリソースと同様な利用可能なリソースを監視できる。
【００３９】
装置２００は１つ以上の利用可能システムから通信サービスを得ることができる。例えば、装置２００は、アド・ホックネットワークシステムと同様にＯＦＤＭＡ  ＦＤＤシステムでも動作してもよい。装置２００は、複数のＲＦトランシーバ処理鎖のうちの１つおよび共通のデジタル信号処理ハードウェアを含むことができる。共通のディジタル信号処理ハードウェアは、ＯＦＤＭＡ  ＦＤＤシステムに対応する１者と、アド・ホックシステムに対応する他者というように異なるソフトウェア・イメージを搭載することができる。装置２００は、例えば、２つのシステムの１つにより使用されるＡＳＩＣ、コンポーネントなどの他のハードウェアをさらに含んでいてもよい。装置２００が有能なシステムの少なくとも１つでは、ビーコン信号はシステム同定、獲得、スペクトルの有効性のチェックにおける装置２００にアシストすべく同期を促進するべくアクセス・ポイントによって送ることができる。システムにおけるアクセス・ポイントは典型的に装置２００が例えば、インターネットといった大きなネットワークをアクセスすることができるゲートウェイである。アクセス・ポイントはさらに、装置２００がそのエリアのスペクトルを利用するのを支援するあるあらかじめ定義された信号を送信して、スタンド・アロンの装置になりえる。
【００４０】
ビーコン信号は、スペクトルバンドにビーコン信号バーストのシーケンスを含んでいる。ビーコン信号バーストは１つ以上（少数）のビーコン・シンボルを含んでいる。典型的な直交周波数分割多重化（ＯＦＤＭ）システムでは、ビーコン・シンボルはＯＦＤＭシンボル周期にわたる単一のトーンである。ビーコン信号バーストは、例えば、１つあるいは２つのシンボル期間となる少数の送信シンボル周期にわたる単一のトーンの少数のビーコン・シンボルを含むことができる。第１及び第２のビーコン信号バースト間で多くのシンボル期間があるように、ビーコン信号バーストは断続的な（続かない）やり方で送信される。連続のビーコン信号バーストは、予め決められまたは擬似ランダムトーンに従って異なるトーンを使用してもよい。別の実施形態では、ビーコン・シンボルはインパルス信号になりえる。装置２００は、わずかな複雑さを備えたビーコン信号を検知することができる。ＯＦＤＭシステムにおいて、装置２００は、受信信号を周波数領域への信号に変形する上で高速フーリエ変換（ＦＦＴ）動作を実行することができる。リソース・センシング・コンポーネント２０２は、ＦＦＴ出力素子のうちの１つが平均より著しく高いエネルギーを運ぶ場合、リソース・センシング・コンポーネント２０２はビーコン信号を検出することができる。インパルス信号の場合には、リソース・センシング・コンポーネント２０２は、受信信号の時間領域サンプルをチェックし、サンプル・キャリアのうちの１つが平均より著しく高いエネルギーを持っている場合、ビーコン信号を検出することができる。
【００４１】
１つの特別の実施形態では、アクセス・ポイントはあらかじめ定義されたスケジュールによってビーコン信号を送ることができる。アクセス・ポイントは、さらに規則的な信号と呼ばれる他のデータ／制御信号を送信してもよい。ビーコン信号は規則的な信号を覆うことができる。ある場合には、アクセス・ポイントが単にビーコン信号を送ってもよい。ビーコン信号は、装置２００が有能なすべてのシステムで送信されてもよいことはありえる。さらに、装置２００が有能なシステムの部分集合だけ中でビーコン信号が送信されることはありえる。
【００４２】
［００６１］装置２００がビーコン信号を送信するシステムの使用開始前に、リソース・センシング・コンポーネント２０２は、システムの状態を決定すべくビーコン信号を探索する。例えば、装置２００がＯＦＤＭＡ  ＦＤＤシステムおよびアドホックネットワークシステムの両方ができて、両系がビーコン信号を送ると仮定する装置２００が動力を供給するか、新しいエリアへ移動する場合、リソース・センシング・コンポーネント２０２は、ビーコン信号を探索する。リソース・センシング・コンポーネント２０２がＯＦＤＭＡ  ＦＤＤアクセス・ポイントからのビーコンを検出することができる場合、装置２００はＯＦＤＭＡ  ＦＤＤアクセス・ポイントからそれがサービスを得ることができることを知っている。リソース・センシング・コンポーネント２０２がアドホックネットワーク・アクセス・ポイントからのビーコンを検出することができなければ、装置２００はそれが対応するスペクトルをピア・ツー・ピア通信に使用することができることを知るだろう。ＯＦＤＭＡ  ＦＤＤシステムのためのビーコンがアドホックネットワークのためのビーコンとは異なるスペクトルバンドにあり異なる搬送フォーマットを使用することに注意する。さらに、サービスとスペクトルの有効性をチェックするためにビーコンを使用するプロトコルが、あるシステムから別のシステムまで変わってもよいことは認識されることになっている。
【００４３】
図２ｂは、ビーコン信号、およびさらにＯＦＤＭを使用する典型的なＯＦＤＭＡシステムおよび典型的なアドホックネットワークシステムにおけるビーコン信号の使用を例証する。Ｘ軸は、例えば、 この例におけるＯＦＤＭシンボルといったシンボルを示す。Ｙ軸は、例えば、サブキャリアといったトーンを示す。小さなボックスはそれぞれ、ＯＦＤＭシンボルの中の単一のトーンを示す。ブラックボックスはビーコン・シンボルを示す。それは帯域幅リソース中で１つの自由度を占める。時間とともに、ビーコン・シンボルは、あるホッピングパターン（それは情報ビットを伝える）によってホッピングし、例えば、システムのタイプを識別するために、送信機に対応付けられる。例えば、ＯＦＤＭＡシステムの基地局はあるホッピングパターンによって基地局ビーコン信号を送信してもよい。その一方で、アドホックネットワーク中のアクセス・ポイント・ノードは異なるホッピングパターンによってアクセス・ポイントビーコン信号を送信していてもよい。 アドホックネットワーク中のユーザー・ノードはまだ別の異なるシーケンスによってユーザ・ビーコン信号を送信してもよい。
【００４４】
１つの特別のシステムだけが使用するのに利用可能であることをリソース・センシング・コンポーネント２０２が知れば、装置２００はそのシステムを使用し始めるだろう。並列システムが利用可能であることをリソース・センシング・コンポーネント２０２が知る場合、装置２００は、信号品質または手数料のような選択基準（すなわち政策）によってそれらの１つ以上を選択することができる。種々実施形態では、１つを越えるシステムに関連したサービスとリソースで同時に装置２００を取得することができることが認識されることになっている。
【００４５】
通信コンポーネント２０４は、ハードウェア、ソフトウェアおよびここに記述されるようなサービスを利用する１以上の通信相手との通信を確立し維持する。遷移コンポーネント２０６は、リソースの１つのセットから別のセットまで通信セッションを移行させる。コンポーネントを移行させることは他のコンポーネントおよびリソース（例えば）を利用するかもしれないメモリ、バッファなど セッションのシームレスに移行することを容易にする。セッションの負けを緩和するために冗長度に供給するリソースのセット間でセッションがオーバーラップすることができることが認識されるだろう。例えば多数の装置、プロトコル、サービスなど リソースの１つのセットからリソースの別のセットまでセッションがシームレスに移行させられることを保証するために同時に利用することができる。従って、遷移コンポーネント２０６は特別の装置および他のリソースが始められている別の通信セッション推移に先立って前もって定義した時間に使用されると考えられるまで、多数の装置およびリソースが調和するために提供するかもしれない。
【００４６】
遷移コンポーネント２０６がセッションを移行させる特別の例は、許可された帯域を使用する携帯電話が無許可の帯域を使用して、ホーム・スピーカー・システムに移行させられるように意図されることが決意するか否かである。移行を始めているとともに、遷移コンポーネント２０６は前もって新しいリソース（例えば、ホーム・スピーカー・システム、および無免許の帯域に関連したリソース）を取得して活性化することができる。その結果、それらは、現在のセッションに関連した現在のリソースで同時に活性化される。例えば、新しいリソースの全セットが使用されており、前のセットがもはや必要ではないと思われるまで、そのセッションは、恐らく、リソース（現在と意図された新しいセット）の両方のセットを横切って導く。そのような時では、遷移コンポーネント２０６は、リソースの前のセットを劣化させるかもしれない。それは評価されることになっている様々なフィルタ、また、機能性は雑音、クロス・トーク、フィードバックなどの影響を緩和するために使用することができる。それは、通信セッションに関するリソースの多数のセットを同時に使用し、望まれない両積として生じるかもしれない。さらに適切なハンドオフ政策、ソフトウェア層、プロトコル、ハードウェアおよびソフトウェアは、ここに記述されるように移行するリソースに関して使用することができる。
【００４７】
遷移コンポーネント２０６の代替実施形態は、ユーザがリソースの新しいセットへの厳しい推移を作ることを可能にするオプションを含むことができる。遷移コンポーネント２０６は、同様に、ユーザ、およびセッションがリソースの新しいセットに転送されている目標受信者に通知を供給するかもしれない。遷移コンポーネント２０６は、１つの実施形態中で自動的に移行するそのようなものを行なうかもしれないし、ユーザが達成することができるように、代替実施形態中でオプションと通知を提供し、手動であるいは半自動的に移行する。
【００４８】
それは、評価されることになっている音声認識のようなその様々な技術、推論、認識（gaze recognition）、高度なサービス品質保証メカニズムなど、ユーザがリソースの別のセットへのセッションの移行を始めることを可能にするために使用することができる。例えば、ユーザは、家の内のリソースの別のセットへの呼を移行させている間に、目標受信者がしばらく持ちこたえることを要求することができる。彼女は、陸線と遷移コンポーネント２０６へのセッションがどうにか移行して（そのような、通信セッションの）促進する動きのようなコマンドを言葉に表すことができた。別の例において、サービス品質が特別の次のゾーン（例えば、既知のデッドスポット）でより低いと考えられるので、通信セッションはそのようなゾーンに関連した高度な欠除次数中のカウンタに移行することができる。同様に、目標は、さらにユーザが別のセットに移行していることを要求することができる。
【００４９】
処理コンポーネント２１０は、コンポーネントの１つ以上に関連した処理機能、およびここに記述された機能を実行する。処理コンポーネントは、プロセッサあるいはマルチコア・プロセッサの単一複合のセットを含むことができる。さらに、処理コンポーネント２１０は、統合処理システムおよび（または）分散処理システムとしてインプリメントすることができる。メモリ２１２は、ランダムアクセスメモリ（ＲＡＭ）、読み取り専用メモリ（ＲＯＭ）およびそれの組合せを含むことができる。データ・ストア２１４は、ハードウェアおよび（または）情報、データベース、およびここに記述された実施形態に関して使用されたプログラムの大記憶に備えるソフトウェアの任意の適切な組合せになりえる。
【００５０】
モバイル装置２００は、自動的に種々実施形態（例えば、通信セッションを移行すること、リソースを分析すること、外因性の情報、利用者状態およびプレファレンス、リスクアセスメント）を行なうことを容易にすべく人工知能（ＡＩ）の法則を使用する人工知能コンポーネント２１６を自由に含むことができる。ＡＩコンポーネント２１６は、推論コンポーネント２１８を自由に含むことができ、一部分所定の時間に行なわれる意図したアクションおよび状態を推論することを容易にする推論ベースの計画を利用するＡＩコンポーネントの自動アスペクトを向上させる。発明のＡＩベースの実施形態は、任意の適切な機械学習に基づく技術、統計の基づく技術および（または）蓋然論の基づいた技術によって達成することができる。例えばエキスパートシステムの使用、ファジイ論理、ベクトル機械（ＳＶＭ）および隠れマルコフモデル（ＨＭＭ）、貪欲なサーチアルゴリズム、ルール・ベース・システム（例えば、ベイズモデル）をサポートするベイズネットワーク、ニューラル・ネットワーク、他の非線形のトレーニング技術、データ融合、ユーティリィティベースの分析システム、ベイズモデルなどを使用するシステムを 熟考されてください。そうすれば、ここに追加された請求項の範囲以内にあるように意図される。
【００５１】
図３は、サービス・プロバイダ３０２が移行する通信セッションの移行を管理するシステム３００の実施形態を例示する。サービス・プロバイダ３０２は、ユーザステート１０４、リソース１０６、プレファレンス１０８、ターゲット１１０および外因性の情報１１２の分析に関してモバイル装置１０２（図１を参照）でここに記述されたそれに似ている機能を実行する。簡潔さの目的のために、また冗長度、様々なコンポーネント／状態／プレファレンスなどに関する議論を回避し、また、それの関連するアスペクトは繰り返されないだろう。
【００５２】
サービス・プロバイダ３０２は、例えば許可された帯域プロバイダであり得る。加入者／ユーザは、サービス・プロバイダにより提供される１セットのサービスおよびユーザ・リソースの移行を予約することができる。ユーザはプレファレンスと同様に１セットのリソースも指示することができる。また、政策はそのようなリソースと提携し、サービス・プロバイダ３０２およびそれについて移行するが通信セッションを管理することを可能にする。ユーザ・インタフェースは、ユーザがサービス・プロバイダを予約すると同様に利用可能なリソースを公開することを可能にするためにウェブ基盤のアプリケーションの一部として例えば提供することができる、リソースを提供し、例えば、状態を与えられたユーザーニーズとプレファレンスと一致するやり方、コンテキストおよび外因性の情報で通信セッションを移行させることに関してサービス・プロバイダ３０２を促進するために推移プレファレンス、目標重要性、ユーザステート条件などに関してプレファレンスを選択し、セットする。
【００５３】
図４は、リソース（１−Ｐ、Ｐが整数である）４０２の異なるセットが、システムまたはネットワークに供給され移行させる分散型通信を形成する実施形態のハイ・レベルのシステムアーキテクチャー４００を例証する。共通のサブリソース（例えば、同じサービス、装置、プロトコルなど）を含む様々なリソースがセットすることは認識されることになっている。互いの中のリソース４０２は、リソースの１つのセットから別のセットまで通信セッション４０４を移行させる対等の物のそれぞれのセットを含む。他の実施形態に関してここに記述された機能において、リソースのそれぞれのセットがコンポーネント（サービス）を使用することができることは認識されることになっている。これらのリソース・セットは、さらにセッションのハンドオフを容易にするためにパートナーシップを形成し、異なるサービス・プロバイダを含むことができる。さらに、これらのリソースは、さらにここに記述された実施形態に従って通信セッションを維持するために分散努力の一部として機能性の能力および対等の実行に対し優先順に対処する装置を含むことができる。言いかえれば、装置とサービスは、通信セッションに関して希望のゴール（例えば、クオリティ・オブ・サービス（ＱｏＳ）、最低のコスト、最小の混乱、最適なユーザ便宜／充足、ロード・バランシングなど）を達成するために調和することができる。
【００５４】
ここに記述された典型的な実施形態を考慮して、示された主題に従ってインプリメントすることができる方法論は議論される。単純性の目的のために、方法論が示され、一連のブロックと評される一方、それは理解されることになっており、いくつかのブロックが、異なる注文で、および（または）ここに描かれ記述されるものからの他のブロックと同時に生じてもよいので、要求された主題がブロックの数か命令で制限されていないことを認識した。さらに、すべての絵入りのブロックはそれぞれの方法論をインプリメントするために要求されるとは限らなくてもよい。ソフトウェア、ハードウェア、それの組合せあるいは他の適切な手段（例えば、装置、システム、プロセス、コンポーネント）によって様々なブロックに関連した機能性がインプリメントされてもよいことが認識されることになっている。さらに、製品上に様々な装置にそのような方法論を輸送し転送することを容易にするために、以下にこのスペックの全体にわたって示されたいくつかの方法論が格納されることができるは、さらに認識されるべきである。技術に熟練している人々は、例えば、状態遷移図中で一連の相互関係があった状態あるいはイベントとして二者択一で方法論を示すことができることを認識し理解するだろう。
【００５５】
図５は通信セッションを移行させるためにハイ・レベルの方法論５００を例証する。５０２で、利用可能なリソース（例えば、サービスプロバイダ、ハードウェア、ソフトウェア、装置、システム、ネットワークなど）が識別される。５０４で、ユーザステート（例えば、駆動、通信する彼／彼女、通信のコンテキスト、通信の必要条件、プライオリティ、位置、現在の用いられているリソース、利用可能なリソース、プレファレンス、ユーザステートにおける予測された次の変化、リソース、プレファレンス、環境における変化など）は決定されまたは推測される。断固としているか推論されたユーザステートよび識別された利用可能なリソースを与えられて、５０６で、決定は、リソースの現在のセットからリソースの別のセットまで通信セッションを移行させるべきかどうかに関してなされる。この決定は、移行（例えば、忠実度の劣化、呼の劣化、ユーザの苛立ち、セッションの中断など）を作るコスト及び潜在的な利益（例えば、よりよいサービス品質、利用可能な強化機能にリソースの新しいセットに関係しているようにさせるユーザ充足、保存金）を因数分解するユーティリィティベースの分析を含むことができる。この決定はさらに費用対効果分析を含むことができる。コストは、リソースの異なるセットを使用して、希望の通信セッションを支援するために、電力消費のような要因、生成された干渉、占められた帯域幅および帯域幅（例えば、許可対無許可のスペクトラムなど）のコストだけ測定することができる。利益は、サービスの品質、データレート、遅延などのような要因だけ測定することができる。決定は、信頼水準が高く始められない場合、推移が始められる場合、蓋然論の基づいた分析に基づいてなされることができる。上に議論されるように、ＡＩベースの技術（機械学習システムを含む）は、そのような決定あるいは推論に関して使用することができる。あるいは、より多くの単純な規則ベースのプロセスは、推移が生じるだろうということをある条件が納得し、そうでなければ、推移が始められないであろう場合に、使用することができる。
【００５６】
以前に言及されるように、決定をなす移行は自動か、あるいは半自動化されるかもしれないか、手動になりえる。５０６で、それが決定されるか、推移が現在時間で作られるべきでないと推論した場合、プロセスは５０２まで返る。それが決定されるか、通信セッションの移行が作られるべきであると推論した場合、セッションがリソースの新しいセットに移行させられる場合、プロセスは５０８に移行する。その後、そのプロセスは５０２まで返る。方法論は、連続的に、利用可能なリソースのユーザ利用を向上させて、かつ現在の通信セッションを向上させるために通信セッションのリアルタイムに移行するために提供するバックグラウンドプロセスとして行なうことができる。あるいは、方法論は前もって定義した間隔で行なうか、あるいはイベント（例えば、リソースの期待損失、あるいはサービスの品質の低下など）に基づいて生じさせることができる。
【００５７】
図６は、リソースの現在のセットからリソースの新しいセットまでの通信セッションの移行を容易にするために関係のある方法論６００を例証する。６０２で、将来のユーザステートは決定されるか推論される。例えば、ユーザが車両を運転しており、モニタリング・サービス（例えば、ＧＰＳ、無線トラッキングなど）に基づく位置に従う場合、ユーザが異なる利用可能な通信リソースを持っているゾーンに接近していることは決定される。６０４で、ユーザステートを与えられた現在通信、プレファレンス、利用可能な現在のリソース、および来たるゾーンで利用可能な予期されるリソース用の必要条件は決定される。次のゾーンでの利用可能なリソースは、インターネット上の公開、探索、リソースの無線放送、ルックアップテーブル、データベースおよび様々な他の適切な手段を含む様々なリソースから得ることができる。リソースの新しいセット、次のゾーンで利用可能であると考えられるものが定義されることを考慮に入れる。新しいセットは、例えば現在利用可能でないが新しいゾーンで利用可能となるリソースのサブセット（部分集合）と同様に使用されるリソースのサブセットを含んでいる。
【００５８】
６０６で、万一通信セッションが、次のゾーンに先立って、あるいはそのゾーン中のリソースの新しいセットに移行させられれば、それは決定されるか推論される。いいえの場合、プロセスは６０２に進む。はいの場合、６０８で、リソースの新しいセットの形式に要求されるリソースが得られる。もちろん、いくつかのリソースは現在使用されてもよい。また、そのようなリソースは前もって取得される必要がないだろう。一旦新しいセット用のリソースが得られれば、６１０で、リソースの新しいセットは、通信セッションに関するリソースの現在のセットで同時に取得される。６１２で、一度、リソースの新しいセットがユーザおよび古いセットによって利用されていることは確認され、リソースの古いセットが使用から落とされることを要求せず、古いセットと新しいセットに共通のリソースは落とされなかった。その後、そのプロセスは６０２まで返るだろう。
【００５９】
図７は、認識のモバイル装置７０２の実施形態を多数のアンテナ７０４で例証する。認識のモバイル装置２０２（図２を参照）に共通にあるコンポーネントに関する記述は、簡潔さの目的のために繰り返されないだろう。装置７０２は、シリーズおよび（または）プロトコル、サービスおよびリソースの並列利用に関するアンテナの種類を使用することができる。前の議論は、大部分はリソースの様々なセット中のセッションの移行に注目したが、現在のセッションに、セッションに追加のリソースを加えることができ利用することができることが認識されることになっている。例えば、ユーザが個々の使用装置７０２との電話での会話をしており、目標パーティーが、受信レポートに関する追加のリソースといった会話装置７０２中のドキュメントが加えることができるユーザーを派遣する。現在用いられているアンテナは、許可された帯域（例えばＣＤＭＡ、ＧＳＭ）を使用して、会話を続けるためにあってもよい。通信コンポーネント２０４は、ユーザが印刷するか見るために近くのプリンタか大きなスクリーンへドキュメントを送ることを可能にすべくＷｉＦｉ（例えば、ブルー・トゥース）のために使用される第２のアンテナを同時に活性化することができる。従って、現在通信は移行させられなかったが、決定された装置７０２が元あった追加のリソースでやや増大されず、利用可能、また電流通信セッションを向上させるだろう。
【００６０】
「0079」図 ８は、利用可能資源の識別および電流通信セッションの増大に関係のある方法論８００を例証する。８０２で、ユーザステートは決定されまたは推測される。例えば、ユーザの位置、通信における他の通信相手の同一性、通信の必要条件、通信のプライオリティ、ユーザプレファレンス、通信のコストは、決定されまたは推測される。８０４で、利用可能なリソースは決定される。これは、現在使用された装置、他の利用可能な装置、サービス、プラットフォームなどに関連したリソースを識別することを含むことができる。８０６で、決定は、リソースの現在のセットを修正するべきかどうかに関して下される。いいえの場合、プロセスは８０２まで返る。はいの場合、現在の通信セッションを向上させる追加のリソースは、前もって取得される。これらのリソースは、単に、例えば別のアンテナ、グラフィックスプロセッサ、スピーカーフォン、インターネット・セッション、現在の通信セッションを向上させるべく別の装置あるいはサービスを持つ（例えば、ブルー・トゥースセッション、ＵＷＢセッション、ＩＰセッション、赤外線通信、認証セッション、暗号化セッションなど）といった第２の通信セッションの背景といった現在使用されていなかった利用可能なリソースを活性化することを含むことができる。８１０で、リソースはで、現在の通信セッションを向上させることに関して加えられ及び（または）落とされる。
【００６１】
図９は、通信セッションに関して利用可能かもしれない典型的なリソースの部分集合のベン図である。また、それぞれのリソースは、単に利用可能なリソース（他のリソースの排除に）であり、同時に利用可能であることを例証する方法で描かれる。それぞれのリソースは、依存する（図示の場合、特別の環境上で）ことにより異なる一致で利用可能かもしれないことは認識されることになっている。また、下記は、単にここに言及された実施形態について記述しおよび理解することを容易にする１つの特別の例である。そのようなスペクトルが、屋内を含む国家全体上の報道をしばしば提供するセルのサービス・プロバイダによってしばしば提供されるので、許可されたスペクトル９０２は、広範囲の他のリソースでオーバーラップする。インターネット・サービス９０４は、セルのサービス・プロバイダにより許可されたスペクトルを含む多くのリソースとオーバーラップし、さらにインターネット・サービスを提供する。全地球測位システムサービスは、衛星によって許可されたスペクトル・サービスと共に典型的に提供され及び（または）セルである。自動車電話９０８はしばしばＧＰＳ９０６を使用することができ、それの移動度の関数として許可されたスペクトル９０２を使用する。マルチモード電話９１０は、多数の帯域（例えば、ＧＳＭ、ＣＤＭＡ、ＷｉＦｉ、ＶＯＩＰ）９１０を使用して動作することができ、また本質的な利用可能なリソースとのオーバーラップを有する。ブルー・トゥース・サービス９１２は、一般に、同時にあるいは許可された帯域と共に使用することができる無許可のスペクトルに対応付けられる。ＶＯＩＰサービス９１４は、しばしばインターネット・サービス、および機能、および他のリソースの多くとオーバーラップする音声通信サービスを同様に要求する。
【００６２】
ブロック図から評価することができるように、様々な利用可能なリソースは、他のリソースをオーバーラップさせ、いくつかのリソースは他のものに依存する。その一方であるリソースは、自律に関連する。従って、そのようなリソースについての知識、能力、制限、コスト、ユーザプレファレンス、有効性は演繹的に知られているべきか、あるいは装置とシステムによって速く学習し、あるいは政策、ルックアップテーブル、データベースあるいはその他同種のものによって内蔵される。その結果、そのようなリソースの利用は、ここに記述された実施形態に関する認識の装置／サービスを使用する一部として向上させることができる。
【００６３】
図 ９ｂ−９ｄは、状態を変更し、ユーザステート状態、プレファレンスおよび利用可能なリソースの機能として利用可能なリソースによって通信セッションを移行するユーザの例の場合を例証する。図９ｄ中で、ユーザ９２０は自動車に位置する。また、彼は友達との通話している。自動車を入る前に、彼は、認識のマルチモードモバイル装置９１０を使用して通話している。彼の自動車は有能なブルー・トゥース９２２であり、また、自動車を発進させる際、モバイルの装置はブルー・トゥース９２２を識別して、自動車（慣例通りに知られているとして）を話す人によって会話を継続するためにそれを使用する。あるいは、その会話は自動車電話９０８に手で押し退けることができる。また、彼が自動車を運転しているとともに、自動車電話９０８に関連した強化機能（恐らく、装置９１０で利用可能でない）は、ユーザに利用可能になることができる。装置９１０および自動車電話９０８はＧＰＳ能力を持っている。したがって、ユーザは自動車の動きとして追跡される。
【００６４】
移動の機能として、位置に基づいた情報は、インターネット９０４の利用によってユーザに、および会話の間に例えば渡すことができる。例えば、広告し、位置に基づきあるいは、単に、会話あるいは単にユーザ（会話の外部）を促進するために、情報はユーザにターゲットとされてもよい。従って、リソースが利用可能になるとともに、そのようなリソースが利用可能で、独立して会話を容易にするだけでなくユーザどころか他の人々（例えば、ユーザの位置を知ることを望む第三者、会話のもう１つの端の人あるいはサービス・プロバイダなど）を支援するために、使用することができることは認識されるかもしれない。装置、サービスおよびリソースは、慣例通りに行われるように自主的に作動するそのような装置、サービスおよびリソースと比較して、ここに記述された実施形態に従って同時に機能性を提供するように協力する。
【００６５】
図９ｃは、ユーザ９２０がＧＰＳ９０６の機能性がもはや利用可能でないエリア（例えば、ガレージ）にいるユーザステートの変化を例証する。さらに、ユーザは、もはや、自動車およびブルー・トゥース９２２の中にいない。また、自動車電話９０８は利用可能ではない。従って、そのような状態に入る前に、モバイル装置９１０あるいはサービス・プロバイダ３０２は目的地（例えば、ユーザの家）及びあるリソース（ＧＰＳ、ブルー・トゥースおよび自動車電話）の予想損失を決定しまたは推測する。そのような知識で、ユーザが装置を拾い上げて、自動車から進むとともに、会話はモバイルの装置９１０に移行させられる。様々なメカニズム（例えば、生物測定学、加速度計、音声駆動など）は、装置９１０が会話を続けるために使用されるように意図されたと断定するか推論するために使用することができる。ハンドオフは、ユーザのプレファレンスあるいは特別の装置あるいはサービス・プロバイダの能力に依存して、自動的に、半自動的にあるいは手動で行なうことができる。見ることができるように、インターネット機能性９２０は、ユーザ（例えば、許可された帯域サービス・プロバイダを介して）に対し利用可能である。したがって、自動車の中で間に使用に供給される様々な機能性およびサービスは、インターネットと装置９１０によってユーザに自由に供給することができる。
【００６６】
図９ｄは、再び（例えば、彼の家へ移動する）状態を変更し、まだ会話中のユーザを描く。ユーザは、無許可の帯域である彼の家の無線ネットワーク９１５を持っている。ユーザは、さらに家（例えば、ＶＯＩＰによって与えられたコストの削減および様々なユニークな機能性により）でＶＯＩＰ通信システムを使用する。ユーザが家に入るとともに、会話はＶＯＩＰシステムに移行させられる。そのような変更を加える前に、決定または推測は、許可された帯域から無免許の帯域まで、交換に関連した潜在的なコストあるいは下降に関してなされた。推移が作られるか、作られないような分析を分析され与えられる利用可能なリソースの新しいセットは、ユーザ（例えば、家の中で装置９１０対スピーカーか、異なるハンドセットを使用して）への便宜のような要因、ユーザ、通信のコンテキスト、ユーザプレファレンス、外因性のデータなどと会話でパーティーをする。さらに、会話は自由に現在の用いられているリソース（許可された帯域およびインターネット）、および同時に利用可能か、交換された（例えば許可された帯域に関するインターネット・アクセスは無免許の帯域によって提供されるインターネット・サービスに切り替えられる）追加のリソースの両方を含むことができる。通話は、今までどおり許可された帯域上で維持することができる。しかし、異なるブルー・トゥース９１２サービスは、ホーム・スピーカー・システム上に放送されることを許可された帯域上の通信セッションの間で可能にする。さらに、モバイル装置９１０は、今、許可されまたは無許可の帯域を同時に利用可能なユーザによって、無許可のネットワークおよびしたがって呼ホールディング上の入電、マルチ・ウェイ呼などを受け取ることができる。
【００６７】
図１０−２０は、いくつかの例リソース（ハードウェア、ソフトウェア、プロトコル、サービスなど）について記述する。それはここに記述された実施形態に関して使用されてもよい。これらが単に典型的なリソースであることは、認識されることになっている。また、実施形態は単なるリソースのこれらのタイプの利用に制限されていない。もっと正確に言えば、それは熟考され、ある要求された実施形態は、ここに記述された機能を実行することにふさわしいリソースのどんなセットも使用することができる。
【００６８】
図１０に代わって、例えば無線通信システム１０００が例証される。システム１０００は、複数のセクター１００２−１０１２を含む。そこでは、ユーザ設備１０２６は、そのようなセクター１００２−１０１２内の無線サービスを使用することができる。セクター１００２−１０１２が、本来本質的に同様のサイズに六角形であるとして示されている間に、セクター１００２−１０１２のサイズおよび形が、ビルディングのような後遺障害および他のいくつかの要因の地理的地域、数、サイズおよび形に依存して変わる場合があることが理解される。アクセス・ポイント１０１４−１０２４はセクター１００２−１０１２に関係している。そこではアクセス・ポイント１０１４−１０２４はセクター１００２−１０１２内のユーザ設備１０２６にサービスを提供するために利用される。アクセス・ポイント１０１４−１０２４は、様々な周波数帯中の送信データ、ユーザー設備１０２６が必ずしもできないそのようなもの、別のアクセス・ポイントからの信号強度を測定する間の１つのアクセス・ポイントからの受信データを利用してもよい。アクセス・ポイント１０１４−１０２４の各々は、複数ユーザ設備にサービスを提供することができる。システム１０００において、ユーザ設備１０２６はセクター１０１０に関連付けられ、これによりアクセス・ポイント１０２２によってサービスすることができる。しかしながら、ユーザ設備１０２６はポータブルであり、これにより異種のセクター（例えば、アクセス・ポイント１０２２からの適切な通信のための範囲）へ移動することができる。ユーザ設備が、ユーザ設備をサービスするアクセス・ポイントに測定ギャップを要請し受け取ることを可能にすることは望ましい。
【００６９】
特別の例において、ユーザ設備１０２６は、アクセス・ポイント１０２２（それはセクター１０１０に関係している）によってサービスすることができる。セクター１０１０の境界に近いユーザー設備１０２６の推移として、ダウンリンク信号品質はアクセス・ポイント１０２２と提携する。また、ユーザ設備１０２６は下がる場合がある。信号品質がしきい値以下になったとユーザ設備１０２６が断定する場合、例えば、ユーザ設備１０２６はアクセス・ポイント１０２２に測定ギャップを要請することができる。アクセス・ポイント１０２２はそのような要求を受け取ってスケジュールを生成し、ユーザ設備１０２６にスケジュールを供給することができる。そこではスケジュールは、測定ギャップが測定ギャップの長さと同様にいつ生じるか示す。定期測定ギャップ中に、ユーザ設備１０２６は、アクセス・ポイント１０２２に関連したダウンリンクチャネルを聞いて、停止することができ、例えばアクセス・ポイント１０２４に関して測定を行なうことができる。信号の品質が十分に高い場合、アクセス・ポイント１０２４は移譲に対する候補と考えることができる。ユーザ設備１０２６が要求を出しそのような要求の受信、およびアクセス・ポイント１０２２からのスケジュールの準備を待つことを上記の例が示している間に、様々な他のプロトコルが熟考されることが理解される。例えば、アクセス・ポイント１０２２からの測定ギャップおよびユーザ設備１０２６の要求が、アクセス・ポイント１０２２に表示を供給するかもしれないのではなく、そのユーザ設備１０２６は別のアクセス・ポイント（例えば、アクセス・ポイント１０２４）に関して測定を得るだろう。その後、アクセス・ポイント１０２２は、それがアクセス・ポイント１０２２からデータを受け取ることを再開した後、ユーザ設備１０２６に送信されるためにユーザ設備１０２６に望ましいように供給されるデータを貯えることができ、あるいは、移譲の後のユーザ設備１０２６への伝達のための別のアクセス・ポイントへ進める。
【００７０】
図１１ａは、本発明の別の実施形態を例示する。１１０２で、利用可能なリソースは識別され、装置がリソースの第１のセットを使用する第１の通信セッションを持つと仮定する。例えば、リソースの第１セットは許可されたスペクトル帯域を使用する広域ネットワークになりえる。また、装置は、例えば、 ＯＦＤＭＡ広域ネットワークシステムの使用してセルラー基地局と接続されてもよい。１１０４で、デバイスステートは、現在保留モードであるか、基地局と信号を送信または受信しない ページング・モードを決定する。１１０６で、装置がページング・モードである場合、装置は、所定時間周期のシーケンスで基地局からのページング・チャネルをモニタしてもよい。ページング時間周期と非ページング時間周期との間で、装置は、通常省電力モードに移行する。
【００７１】
はいであり、装置がページング・モードで発明の１つの実施形態に従う場合、装置は、１１０８で、非ページング時間周期の中でリソースの第２セットを使用して第２の通信セッションを確立または確立することを試みる。リソースの第２セットは、例えば、同じ許可されたスペクトル帯域あるいは別のものを使用する特別なローカルエリアあるいはピア・ツー・ピア・ネットワーク、恐らく無許可のスペクトル帯域であり得る。
【００７２】
したがって、装置は、ページング時間周期中の第１の通信セッションのページング・チャンネルを監視する。一旦ページング時間周期が終了すれば、ページが装置につけられない場合、装置は第２の通信セッションをアド・ホックまたはピア・ツー・ピアに切り替える。第２の通信セッションにおいて、装置は、率先してその識別子を示すユーザビーコン信号、あるいは他の装置によって送られたユーザビーコン信号の探索を送ってもよい。ユーザビーコン信号は、アド・ホックまたはピア・ツー・ピア通信プロトコルによって送られる。それは、リソースの第１セットの中で使用されるエア・リンク・プロトコルとは異なる。 装置は、更に積極的に、第２の通信セッションの別の装置でユーザデータトラヒックを通信してもよい。１１１０で、次のページング周期が到来しているか否かが決定される。はいの場合、次のページング時間周期が到来する場合、そのとき、装置は１１１２で最も適切な通信セッションに切り替えられる。例えば、装置は一時的に第２の通信セッションを停止し、ページング・チャネルをチェックするべく第１の通信セッションに戻してもよい。再び、ページが装置につけられない場合、それは第２の通信セッションに切り替えられる。ページが装置につけられる場合、それは第２の通信セッションを終了し、第１の通信セッションのより多くのアクティブ状態に移動してもよい。 あるいは、装置は、その通信セッションにそれが継続する必要のある選択を行なってもよい。
【００７３】
それは、リソースのセットおよびそれの組合せ中に移行していると同様に、リソースの異なるセットに支援された同時セッションのためにここに記述された様々な実施例が提供する先のディスカッションから評価されることになっている。
【００７４】
図１１ｂは、本発明の別の側面を例示する。２つの装置が地理的に隣接すると仮定する。その後、２つの装置は、リソースの第１のセットによって互いに直接伝達することができてもよい。それは許可されたスペクトラム帯域または無許可のスペクトル帯域を使用する直接のピア・ツー・ピア・ネットワークである。その後、２つの装置は互いに立ち去る。また、それらの距離が非常に増加するので、直接のピア・ツー・ピア通信は可能ではない。２つの装置は、それらの状態の変更およびそれらの通信セッションを継続するために多重ホップ・アドホックネットワークであるリソースの第２セットの使用開始を識別する。その後、２つの装置が、互いに一層動きそれらの距離が非常に増加するので、多重ホップ・アド・ホック・ネットワークさえ実現可能でなくコスト効率が良くない。２つの装置は、それらの状態の変更およびそれらの通信セッションを継続するために、広域セルラー・ネットワークであるリソースの第３セットの使用開始を識別する。
【００７５】
１１２０で、利用可能なリソースは識別される。１１２４で、通信セッションは、リソースの第１セットを使用する。１１２６で、デバイス（あるいはユーザ）ステートは監視される。また、それは、セッションに参加する任意の装置が、リソースの異なるセットを要求する状態変化（例えば物理的運動、低い信号、低消費電力など）を持っているか否かを決定する。いいえの場合、セッションはリソースの同じセットを使用し続ける。はいの場合、１１２８で、セッションは、適切なやり方で通信セッションを行なうことができるようにデバイス（あるいはユーザ）ステートの変化のために提供するべきリソースの新しいセットに移動される。１１３０で、デバイス（あるいはユーザ）ステートは、リソースの新しいセットに関して再びチェックされる。また、別の状態変化が１１３０でリソースの異なるセットを要求する場合、通信セッションは１１２８でリソースの別の新しいセットに移行させられる。いいえの場合、リソースの現在のセットは１１３２で維持される。
【００７６】
図１２ａは、セルＩ  １２０２、セルＭ  １２０４といった多数のセルを含む種々実施形態に従ってインプリメントされた通信システム１２００の例を描く。近隣のセルの基地局によって送信された信号間の信号妨害の可能性を作成して、セル周辺領域１２６８によって示されるように、近隣のセル１２０２および１２０４がわずかにオーバーラップすることに注意する。システム１２００のセル１２０２および１２０４はそれぞれ３つのセクターを含む。３つを越えるセクター（Ｎ＞３）と多数のセクター（Ｎ＝１）、２つのセクター（Ｎ＝２）とのセルおよびセルへ細分されないさらなる種々実施形態に従って可能である。セル１２０２は、第一セクタ、セクターＩ  １２１０、別のセクター、セクターＩＩ  １２１２および第三セクター（セクターＩＩＩ  １２１４）を含んでいる。セクター１２１０、１２１２、１２１４はそれぞれ２つのセクター境界地域を持っている。周辺領域はそれぞれ２つの隣接したセクター間で共有される。
【００７７】
セクター境界地域は、近隣のセクターの基地局によって送信された信号間の信号妨害の可能性を提供する。１２１６行目は、セクターＩ  １２１０とセクターＩＩ  １２１２の間のセクタ境界地域を示す。１２１８行目は、セクターＩＩ  １２１２とセクターＩＩＩ  １２１４の間のセクタ境界地域を示す。１２２０行目は、セクターＩＩＩ  １１２４とセクター１  １２１０の間のセクタ境界地域を示す。同様に、セルＭ  １２０４は第一セクタ、セクターＩ  １２２２、別のセクター、セクターＩＩ  １２２４および第三セクター（セクターＩＩＩ  １２２６）を含んでいる。１２２８行目は、セクターＩ  １２２２とセクターＩＩ  １２２４の間のセクタ境界地域を示す。１２３０行目は、セクターＩＩ  １２２４とセクターＩＩＩ  １２２６の間のセクタ境界地域を示す。１２３２行目は、セクターＩＩＩ  １２２６とセクターＩ  １２２２の間の周辺領域を示す。 セルＩ  １２０２は、基地局Ｉ  １２０６および各セクター１２１０、１２１２、１２１４の複数の末端ノード（ＥＮ）といった基地局（ＢＳ）を含んでいる。セクターＩ  １２１０はＥＮ（１）１２３６、および無線リンク１２４０、１２４２によってＢＳ１２０６につながれたＥＮ（Ｘ）１２３８をそれぞれ含んでいる。セクターＩＩ  １２１２はＥＮ（１’）１２４４、および無線リンク１２４８、１２５０によってＢＳ１２０６につながれたＥＮ（Ｘ）１２４６をそれぞれ含んでいる。セクターＩＩＩ  １２１４はＥＮ（１”）１２５２、および無線リンク１２５６、１２５８によってＢＳ１２０６につながれたＥＮ（Ｘ」）１２５４をそれぞれ含んでいる。同様に、セルＭ１２０４は、各セクター１２２２、１２２４、１２２６に基地局Ｍ  １２０８および複数の末端ノード（ＥＮ）を含んでいる。セクターＩ  １２２２はＥＮ（１）１２３６’、および無線リンク’１２４０によってＢＳ  Ｍ  １２０８につながれたＥＮ（Ｘ）１２３８’を含んでいる。セクターＩＩ  １２２４はＥＮ（１’）１２４４を含んでいる。そしてＥＮ（Ｘ’）１２４６は、無線リンク’１２４８によってＢＳ  Ｍ  １２０８につながれる。セクターＩＩＩ  １２２６はＥＮ（１”）１２５２’、および無線リンク’１２５６によってＢＳ１２０８につながれたＥＮ（Ｘ」）１２５４’を含んでいる。
【００７８】
システム１２００は、さらにネットワークリンク１２６２、１２６４によってＢＳ  Ｉ  １２０６およびＢＳ  Ｍ  １２０８につながれるネットワーク・ノード１２６０をそれぞれ含んでいる。ネットワーク・ノード１２６０は、例えば、 他の基地局、ＡＡＡサーバー・ノード、中間節点、ルータなど またネットワークリンク１２６６によるインターネットといった他のネットワーク・ノードにつながれる。ネットワークリンク１２６２、１２６４、１２６６は、例えば、光ファイバーケーブルであるかもしれない。各末端ノード、例えば ＥＮ  １  １２３６は、受信機と同様に送信機も含む無線ターミナルかもしれない。無線端末、例えば、ＥＮ（１）１２３６はシステム１２００を通って移動し、ＥＮが現在位置するセルの基地局との無線リンクによって伝達してもよい。無線端末（ＷＴ）、例えば ＥＮ（１）１２３６は、例えば、 他のＷＴイン・システム１２００、あるいは基地局経由のシステム１２００の外部で、例えば ＢＳ  １２０６、またはネットワーク・ノード１２６０といった仲間ノードで伝達してもよい。ＷＴ、例えば、 ＥＮ（１）１２３６は、携帯電話、無線モデムなどを持った個人データ補助物のようなモバイル通信装置かもしれない。それぞれの基地局は、トーンを割り付けて、休息シンボル期間中でホッピング・トーンを決定するために使用された方法から、一片シンボル周期の異なる方法を使用して、例えば、非一片シンボル周期といったトーン部分集合割当てを行なう。無線端末は、基地局からの受信情報と共にトーン部分集合割当方法を使用し、例えば、基地局、それらが特定の一片シンボル周期に受信データと情報に使用することができるトーンを決定するためにＩＤ（セクターＩＤ情報）を傾斜させる。トーン部分集合割当てシーケンスは、それぞれのトーンを横切ってセクターと注液電池間干渉を広げる種々実施形態に従って構築される。メインシステムは、主としてセルのモードのコンテキスト内に記述されたが、複数のモードがここに記述された実施形態に従って利用可能かもしれないし、その複数が使用にふさわしいかもしれないことが認識されることになっている。
【００７９】
図１２ｂは、利用可能な追加のモード１２９０および１２９２を備えたセルＩ  １２０２を例証する。モード１２９０は、ＶＯＩＰプロトコルと同様にセル内で伝達することができる例えばモード内の装置に備えるＶＯＩＰモードになりえる。モード１２９２は、モード範囲内の装置によって別の通信（例えば無許可の帯域、異なる許可された帯域など）の実行にふさわしいモードに備える。様々なモードが重複するところで、装置がそのような利用可能なモード（同時にあるいは連続的に）の１つ以上を使用することができることが認識されることになっている。様々な末端ノードはシームレスに利用可能なモードを切り替え、または同時に使用することができる。さらに、該当基地局は選択的に利用可能なモードの１つ以上を使用して、通信を伝えることができる。従って、装置、送信および（または）受信は、通信を最適化するために選択的に１つ以上のモードを使用するかもしれない。あるレガシータイプ装置が特定モードで伝達することができてもよいだけのことが認識されることになっている。また、マルチモードの装置はダイナミックにそのようなレガシー装置に関連した制限を提供するためにモードを切り替えることができる。
【００８０】
図１３は、種々実施形態に従って基地局１３００の例を例証する。基地局１３００は、それぞれの異なるセクター・タイプのセルのために生成された異なるトーン部分集合割当てシーケンスを備える。基地局１３００は、図１２のシステム１２００の基地局１２０６および１２０８のうちの任意の１つとして使用されてもよい。基地局１３００は、受信機１３０２、送信機１３０４、プロセッサ１３０６、例えば、各エレメント１３０２、１３０４、１３０６、１３０８および１３１０がデータと情報を交換してもよいバス１３０９で相互に接続されたＣＰＵ、入出力インタフェース１３０８およびメモリ１３１０を備えている。
【００８１】
受信機１３０２に接続されるセクタごとのアンテナ１３０３は、データおよび、例えば、基地局のセル内の各セクターからの無線端末伝送からのチャネルレポートといった他の信号を受信するために使用される。送信機１３０４に接続され、セクタごとのアンテナ１３０５は、データおよび、例えば、制御信号、パイロット信号、ビーコン信号など基地局のセルの各セクター内の無線端末１４００（図１４を参照）への他の信号の送信のために使用される。種々実施形態では、基地局１３００は、例えば、各セクターの個々の受信機１３０２および各セクターの個々の送信機１３０４といった多数の受信機１３０２および多数の送信機１３０４を採用してもよい。プロセッサ１３０６は、例えば、 汎用の中央処理装置（ＣＰＵ）かもしれない。１つ以上のルーチン１３１８の指示に基づく基地局１３００のプロセッサ１３０６のコントロール操作は、メモリ１３１０に格納し、方法をインプリメントする。プロセッサは、リソース・センシング・コンポーネント２０２ａ、遷移コンポーネント２０６ａおよび処理コンポーネント２１０ａを備えている。これらのコンポーネントおよび関連する機能性の相当物は、図に関して詳細に以前に議論される。図２ａおよび一層の関連した議論は、簡潔さの目的のために、およびミニマイズ冗長度に制限されている。Ｉ／Ｏインタフェース１３０８は、他の基地局、アクセスルータ、ＡＡＡサーバー・ノードなどにＢＳ  １３００を接続して、インターネットといった他のネットワーク・ノードへの接続を提供する。メモリ１３１０はルーチン１３１８およびデータ／情報１３２０を備えている。
【００８２】
データ／情報１３２０は、データ１３３６、ダウンリンク・ストリップ・シンボル時間情報１３４０およびダウンリンク・トーン情報１３４２を含むトーン部分集合割当てシーケンス情報１３３８、およびＷＴ  １情報１３４６およびＷＴ  Ｎ情報１３６０といったＷＴ情報の複数のセットを含む無線ターミナル（ＷＴ）データ／情報１３４４を備えている。ＷＴ情報の各セットにおいて、例えば、 ＷＴ  １情報１３４６はデータ１３４８、端末装置識別機構１３５０、セクターＩＤ  １３５２、アップリンクチャネル情報１３５４、ダウンリンクチャネル情報１３５６およびモード情報１３５８を含んでいる。
【００８３】
ルーチン１３１８は、通信ルーチン１３２２および基地局制御ルーチン１３２４を備えている。基地局制御ルーチン１３２４は、シンボル期間の残りのための例えば、 非ストリップ・シンボル周期で、スケジューラモジュール１３２６、およびストリップ・シンボル周期のトーン・サブセット・割り当てルーチン１３３０、他のダウンリンク・トーン割当てホッピング・ルーチン１３３２、またビーコン・ルーチン１３３４を含む搬送ルーチン１３２８を備えている。
【００８４】
データ１３３６は、ＷＴへの伝送に先立って符号化するために送信機１３０４のエンコーダ１３１４に送信される。ＷＴからの受信データは、受話器１３０２の復号器１３１２によって処理される。ダウンリンク・ストリップ・シンボル時間情報１３４０は、スーパースロット、ビーコンスロット、および与えられたシンボル期間がストリップ・シンボル期間かどうか明示するウルトラスロット構造情報および情報のようなフレーム同期構造情報を含んでいる。そしてそうならば、ストリップ・シンボル期間、およびストリップ・シンボルは、トーン・サブセット割当てシーケンスを切り詰めリセットするポイントかのインデックスとして基地局によって使用される。ダウンリンク・トーン情報１３４２は、基地局１３００、トーンの数および頻度、およびストリップ・シンボル周期に割り付けられるトーン・サブセットのセットに割り当てられた搬送周波数を含む情報を含んでいる。また、傾斜のような他のセルとセクターの特定値はインデックスおよびセクター・タイプを傾斜させる。
【００８５】
データ１３４８は、ＷＴ１  １４００が仲間ノードから受信したデータ、ＷＴ  １  １４００が仲間ノードに送信されるように依頼するデータおよびダウンリンクチャネル品質レポートフィードバック情報を含んでいてもよい。端末装置識別機構１３５０はＷＴ１  １４００を識別するＩＤを割り当てられた基地局１３００である。セクターＩＤ  １３５２は、ＷＴ１  １４００が作動しているセクターを識別する情報を含んでいる。セクターＩＤ  １３５２は例えば、セクター・タイプを決定するために使用することができる。アップリンクチャネル情報１３５４は、スケジューラ１３２６によって使用するＷＴ１  １４００に割り付けられ、例えば、 データのためのアップリンク・トラフィックチャネル・セグメント、リクエストのための専用アップリンク制御チャネル、電源制御装置、タイミング制御などのチャネル・セグメントを識別する情報を含んでいる。ＷＴ１  １４００に割り当てられたアップリンクチャネルは、シーケンスをホッピングするアップリンクに続く論理的なトーンといったそれぞれ１つ以上の論理的なトーンを各々含んでいる。ダウンリンクチャネル情報１３５６は、データおよび（または）ＷＴ１  １４００への情報を運ぶために、スケジューラ１３２６によって割り付けられ、例えば、 利用者データのためのダウンリンク・トラフィックチャネル・セグメントといったチャンネル・セグメントを識別する情報を含んでいる。ＷＴ１  １４００に割り当てられたダウンリンクチャネルはそれぞれ１つ以上の論理的なトーン（シーケンスをホッピングするダウンリンクに各々続いて）を含んでいる。モード情報１３５８は、例えば、スリープ、ホールド・オンといったＷＴ１  １４００のオペレーションの状態を識別する情報を含んでいる。
【００８６】
通信ルーチン１３２２は、様々な通信動作を行ない、かつ様々な通信プロトコルをインプリメントするように基地局１３００を制御する。基地局制御ルーチン１３２４は、基礎的な基地局といった基地局１３００を制御するために使用され、機能的なタスク、例えば、 信号発生および受信、スケジューリング、またストリップ・シンボル周期にトーン・サブセット割当てシーケンスを使用して、無線端末への送信する信号を含むいくつかの実施形態の方法のステップを実行する。
【００８７】
搬送ルーチン１３２８は、そのデコーダ１３１２を有する受信機１３０２およびエンコーダ１３１４を有する送信機１３０４の動作を制御する。搬送ルーチン１３２８は、送信データ１３３６および制御情報の生成を制御する。トーン・サブセット割り当てルーチン１３３０は、ダウンリンク・ストリップ・シンボル時間情報１３４０およびセクターＩＤ  １３５２を含む実施形態および使用データ／情報１３２０の方法を使用して、ストリップ・シンボル周期に使用されるトーン・サブセットを構築する。ダウンリンク・トーン・サブセット割当てシーケンスは各セクターにとって異なり、セルをタイプインし、そして隣接セルには異なる。ＷＴ  １４００は、ダウンリンク・サブセット割当てシーケンスに従ってストリップ・シンボル周期の信号を受信する。基地局１３００は、送信された信号を生成するために、同じダウンリンク・トーン・サブセット割当てシーケンスを使用する。他のダウンリンク・トーン割当てホッピング・ルーチン１３３２は、ストリップ・シンボル周期以外のシンボル期間のために、シーケンスをホッピングするダウンリンク・トーン、ダウンリンク・トーン情報１３４２を含む使用情報、およびダウンリンクチャネル情報１をセクタを横切って同期される。ビーコン・ルーチン１３３４は、ビーコン信号の伝送を制御する。例えば、比較的１つあるいは少数のトーン（それらは同期目的に使用されてもよい）に集中された、高パワー信号の信号、例えば、 超スロット境界に関してダウンリンク信号およびしたがってトーン・サブセット割当てシーケンスのフレームタイミング構造を同期させる。
【００８８】
図１４は、無線端末（末端ノード）のうちの任意の１つとして使用することができ、例えば、図１２中で示されるシステム１２００のＥＮ（１）１２３６といった無線端末（末端ノード）１４００を例証する。無線端末１４００は、トーン・サブセット割当てシーケンスをインプリメントする。無線端末１４００は、デコーダ１４１２、各エレメント１４０２、１４０４、１４０６、１４０８がデータを交換することができるバス１４１０で互いに連結されるエンコーダ１４１４、プロセッサ１４０６およびメモリ１４０８を含む送信機１４０４、および受信機１４０２を備えている。基地局２００から信号を受信するために使用されたアンテナ１４０３は、受信機１４０２につながれる。信号の送信のために使用されたアンテナ１４０５は、例えば、ステーション２００に基づく送信機１４０４に接続される。
【００８９】
プロセッサ１４０６、例えばＣＰＵは、無線端末１４００の動作を制御し、メモリ１４０８中の実行ルーチン１４２０および使用データ／情報１４２２によって方法をインプリメントする。
【００９０】
データ／情報１４２２は、ユーザデータ１４３４、ユーザー情報１４３６およびトーン・サブセット割当てシーケンス情報１４５０を備えている。ユーザデータ１４３４は、仲間ノードのために意図されて、データを含んでいてもよい。それは、基地局２００への送信機１４０４による伝送に先立って符号化し、受信機１４０２の中のデコーダ１４１２によって処理され基地局２００から受け取られたデータためのエンコーダ１４１４に徹底的に打ち破られるだろう。ユーザ情報１４３６はアップリンクチャネル情報１４３８、ダウンリンクチャネル情報１４４０、端末装置識別機構情報１４４２、基地局ＩＤ情報１４４４、セクターＩＤ情報１４４６およびモード情報１４４８を含んでいる。アップリンクチャネル情報１４３８は、基地局２００へ送信する場合に使用する無線端末１４００用に、基地局２００によって割り当てられたアップリンクチャネル・セグメントを識別する情報を含んでいる。アップリンクチャネルは、専用アップリンク制御チャネル、例えば、 リクエスト・チャンネル、電源制御装置チャンネルおよびタイミング制御チャネルといったアップリンク・トラフィックチャネルを含んでいてもよい。アップリンクチャネルは、シーケンスをホッピングするアップリンクトーンに続く論理的なトーンといったそれぞれ１つ以上のロジック調子を各々含んでいる。アップリンクを怒っているシーケンスは、各セクター・タイプのセル、および隣接セル間で異なる。ダウンリンクチャネル情報１４４０は、ＢＳ２００がＷＴ１４００にデータ／情報を送信している場合に、使用のために基地局２００によってＷＴ１４００に割り当てられたダウンリンクチャネル・セグメントを識別する情報を含んでいる。ダウンリンクチャネルはダウンリンク・トラフィックチャネルおよび割り当てチャンネル、１つ含む各ダウンリンクチャネルあるいはより論理的なトーン（シーケンスを跳ぶダウンリンクに続く個々の論理的な調子）を含んでいてもよい。それはセルの各セクター間で同期される。
【００９１】
ユーザー情報１４３６はさらに端末装置識別機構情報１４４２を含んでいる。それは、同定を割り当てられた基地局２００、ＷＴが通信を確立した特定の基地局２００を識別する基地局ＩＤ情報１４４４、およびＷＴ１４００が現在捜し出されるセルの特定のセクターを識別するセクターＩＤ情報１４４６である。基地局ＩＤ１４４４はセル傾斜価値を提供する。また、セクターＩＤ情報１４４６はセクター添字型を提供する。セル傾斜価値およびセクター添字型は、トーンを怒っているシーケンスを引き出すために使用されてもよい。ＷＴ  １４００がスリープモードに入っても、ホールドモードといったユーザー情報１４３６に含まれたモード情報１４４８は識別する。
【００９２】
トーン・サブセット割当てシーケンス情報１４５０は、ダウンリンク・ストリップ・シンボル時間情報１４５２およびダウンリンク・トーン情報１４５４を含んでいる。ダウンリンク・ストリップ・シンボル時間情報１４５２は、スーパースロット、ビーコンスロット、および与えられたシンボル期間がストリップ・シンボル期間かどうか明示するウルトラスロット構造情報および情報のようなフレーム同期構造情報を含んでいる。そしてそうならば、ストリップ・シンボル期間、およびストリップ・シンボルは、ポイントかのインデックスに基づいて、基地局によって使用されるトーン・サブセット割当てシーケンスを切り詰めるべくリセットする。ダウンリンク・トーン情報１４５４は、基地局２００、トーンの数および頻度、およびストリップ・シンボル周期に割り付けられるトーン・サブセットのセットに割り当てられた搬送周波数を含む情報を含んでいる。また、傾斜のような他のセルとセクターの特定値はインデックスおよびセクター・タイプを傾斜させる。
【００９３】
ルーチン１４２０は、通信ルーチン１４２４および無線端末制御ルーチン１４２６を含んでいる。通信ルーチン１４２４は、ＷＴ１４００によって使用される様々な通信プロトコルを制御する。無線端末制御ルーチン１４２６は、受信機１４０２および送信機１４０４の整理を含む基礎的な無線端末１４００の機能性を制御する。無線端末制御ルーチン１４２６は搬送ルーチン１４２８を含んでいる。搬送ルーチン１４２８は、１つの、他のダウンリンク・トーン割当てホッピング・ルーチン、シンボル期間の残りのための１４３２、例えば、非ストリップ・シンボル周期といったストリップ・シンボル周期のトーン・サブセット割り当てルーチン１４３０を含んでいる。トーン・サブセット割り当てルーチン１４３０は、ダウンリンクチャネル情報１４４０を含むユーザデータ／情報１４２２、および基地局ＩＤ情報１４４４を使用する、例えば、 基地局２００から送信されたいくつかの実施形態およびプロセス受信データに従ってダウンリンク・トーン・サブセット割当てシーケンスを生成するためにインデックスおよびセクター・タイプ、およびダウンリンク・トーン情報１４５４を傾斜させる。他のダウンリンク・トーン割当てホッピング・ルーチン１４３０は、ストリップ・シンボル周期以外のシンボル期間のために、シーケンスをホッピングするダウンリンク・トーン、ダウンリンク・トーン情報１４５４を含む使用情報、およびダウンリンクチャネル情報１４４０を構築する。トーン・サブセット割り当てルーチン１４３０は、プロセッサ１４０６によって実行された時、決定するために使用される。すぐに、無線端末１４００は、基地局１２００から１つ以上のストリップ・シンボル信号を受信する。アップリンク・トーン割当てホッピング・ルーチン１４３０は、送信し続けるべきトーンを決定するために、基地局１２００からの受注情報に加えて、トーン・サブセット割当機能を使用する。
【００９４】
図１５は、図１２のセル（１２０２と１２０４）の各々の各セクターのためにインプリメントされて、種々相のＯＦＤＭスペクトル拡散エアー・インターフェース技術を例証する。図１５中で、水平軸１５５１は頻度を示す。特別の搬送周波数１５５３用の利用可能な帯域幅の合計金額、例えば、 ダウンリンク搬送については、等しく間隔を置かれたトーン数（Ｋ）に分割される。いくつかの実施形態では、１１３の等しく間隔を置かれたトーンがある。これらのトーンは０からＫ−１までインデックスを付けられる。例えばトーン、 トーン０  １５５５、トーン１  １５５７、トーン２  １５５９およびトーンＫ−１  １５６１は、図１５中で例証される。帯域幅は、個々、２つのセル１２０２および１２０４を含むセクター１２１０、１２１２、１２１４、１２２２、１２２４、１２２６を同時に使用する。各セルの各セクターで、トーン０からトーンＫ−１は、ダウンリンク信号を送信するために各セルの各セクターでそれぞれ使用される。同じ帯域幅が両方のセル１２０２、１２０４の各セクターで使用されるので、周波数トーン上の異なるセルおよびセクターによって同時に送信された信号は、例えば、 オーバーラップするカバーエリアで、例えばセクター境界エリア１２１６、１２１８、１２２０、１２２８、１２３０、１２３２、およびセル境界エリア１２６８で、互いに邪魔をしてもよい。
【００９５】
ソフトウェア・インプリメンテーションについて、ここに記述された技術は、ここに記述された機能を実行する手順、機能などといった手段（例えば）でインプリメントされてもよい。ソフトウェア・コードは、記憶装置に格納され、プロセッサによって実行されてもよい。記憶装置は、プロセッサ内にインプリメントされその場合には、技術中で知られているようにそれを、通信で様々な手段によってプロセッサにつなぐか、あるいはプロセッサに外付けかもしれない。
【００９６】
上に記述されたものは、１つ以上の実施形態の例を含んでいる。それは、前述のアスペクトについて記述する目的のためのコンポーネントか方法論のすべての考えられる組合せについてもちろん記述することができる。しかし、技術における通常の熟練のうちの１つは、多くのさらなる組合せおよび種々実施形態の交換が可能であることを認識してもよい。従って、記述された実施形態は、追加された請求項の精神および範囲以内にあるような変更、修正および変化をすべて包含するように意図される。用語が「includes」という程度まで、更に、詳述か請求項のいずれかの中で使用され、そのような用語は、用語に似ているやり方で包括的になるように意図され、請求項で遷移性の単語として使用された時、「comprising」のように「comprising」が解釈される。
【図面の簡単な説明】
【００９７】
【図１】図１は、ここに記述された１つ以上の実施形態に従って認識の通信システムを例証する。
【図２ａ】図２ａは、ここに記述された１つ以上の実施形態に従って認識のモバイル装置の実例である。
【図２ｂ】図２ｂは、さらにＯＦＤＭを使用する典型的なＯＦＤＭＡシステムおよび典型的なアド・ホック・ネットワーク・システムでのビーコン信号およびビーコン信号の使用を例証する。
【図３】図３は、ここに記述された１つ以上の実施形態に従って認識の通信システムを例証する。
【図４】図４は、ここに記述された１つ以上の実施形態に従って認識の通信システムを例証する。
【図５】図５は、ここに記述された１つ以上の実施形態に従ってリソース中の通信セッションを移行させるために方法論を例証する。
【図６】図６は、ここに記述された１つ以上の実施形態に従ってリソース中の通信セッションを移行させるために方法論を例証する。
【図７】図７は、ここに記述された１つ以上の実施形態に従って認識のモバイル装置の実例である。
【図８】図８は、ここに記述された１つ以上の実施形態に従ってリソース中の通信セッションを移行させるために方法論を例証する。
【図９ａ】図９ａは、ここに記述された１つ以上の実施形態に従って例リソースを例証するベン図である。
【図９ｂ】図９ｂは、ここに記述された１以上の実施形態に従って１つの位置当たり利用可能な通信を関連させて、様々な位置を通って移動するユーザを例証するベン図である。
【図９ｃ】図９ｃは、様々な位置を通って移動するユーザを例証するベン図で、ここに記述された１つ以上のアスペクトに従って１つの位置当たり利用可能な通信を関連させた。
【図９ｄ】図９ｄは、様々な位置を通って移動するユーザを例証するベン図で、ここに記述された１つ以上のアスペクトに従って１つの位置当たり利用可能な通信を関連させた。
【図１０】図１０は、１つ以上の実施形態に従って例ワイヤレス通信システムの実例である。
【図１１ａ】図１１ａは、種々実施形態に従ってリソースの異なるセットを使用して、同時セッションを使用する方法を例証する。
【図１１ｂ】図１１ｂは、装置または利用者状態の変化の関数として、リソースの１つのセットからリソースの別のセットまでセッションを移行させる方法を例証する。
【図１２ａ】図１２ａは、種々実施形態に従ってインプリメントされた例通信システムのネットワーク図を例証する。
【図１２ｂ】図 １２ｂは、種々実施形態に従って例通信システムのネットワーク図を多数のモードで例証する。
【図１３】図１３は、種々実施形態に従ってインプリメントされた例基地局を例証する。
【図１４】図１４は、種々実施形態に従ってインプリメントされた例無線端末を例証する。
【図１５】図１５は、ＯＦＤＭ方式の中で使用される例トーンセットを例証する。
【図１】
2009523376.tif 000003
【図２ａ】
2009523376.tif 000004
【図２ｂ】
2009523376.tif 000005
【図３】
2009523376.tif 000006
【図４】
2009523376.tif 000007
【図５】
2009523376.tif 000008
【図６】
2009523376.tif 000009
【図７】
2009523376.tif 000010
【図８】
2009523376.tif 000011
【図９ａ】
2009523376.tif 000012
【図９ｂ】
2009523376.tif 000013
【図９ｃ】
2009523376.tif 000014
【図９ｄ】
2009523376.tif 000015
【図１０】
2009523376.tif 000016
【図１１ａ】
2009523376.tif 000017
【図１１ｂ】
2009523376.tif 000018
【図１２ａ】
2009523376.tif 000019
【図１２ｂ】
2009523376.tif 000020
【図１３】
2009523376.tif 000021
【図１４】
2009523376.tif 000022
【図１５】
2009523376.tif 000023
【国際調査報告】
2009523376.tif 000024
2009523376.tif 000025
2009523376.tif 000026
2009523376.tif 000027
2009523376.tif 000028